(57)【要約】      （修正有）【課題】液晶表示装置の高画質化と低消費電力化を両立する。【解決手段】複数本の走査信号線ＧＬと、複数本の映像信号線ＤＬと、前記映像信号線の数よりも少ない複数個の映像信号入力端子ＤＴと、前記映像信号入力端子と前記映像信号線との間に介在するスイッチ回路１０１とを有する液晶表示装置であって、前記スイッチ回路は、複数個のスイッチ素子Ｔｒ２と、前記スイッチ素子のオン／オフの切替を行う複数本の切替配線φ１，φ２，φ３とを有し、１個の前記映像信号入力端子に接続している複数個のスイッチ素子Ｔｒ２は、それぞれ異なる切替配線に接続しており、１本の切替配線に接続している前記スイッチ素子のそれぞれに接続している複数本の映像信号線は、当該複数本の映像信号線において隣接する２本の映像信号線の間に配置される他の映像信号線の数が２通り以上である。【選択図】図７
2010032974.tif 000002
【特許請求の範囲】
【請求項１】
複数本の走査信号線と、絶縁層を介して前記走査信号線と立体交差する複数本の映像信号線と、前記走査信号線と前記映像信号線とが立体交差する位置の近傍のそれぞれに配置された複数個のＴＦＴ素子と、それぞれの前記ＴＦＴ素子のソースまたはドレインに接続された複数個の電極と、前記映像信号線の数よりも少ない複数個の映像信号入力端子と、前記複数個の映像信号入力端子と前記複数本の映像信号線との間に介在するスイッチ回路と、前記複数個の映像信号入力端子のそれぞれに映像信号を入力する駆動回路とを有する液晶表示装置であって、
前記スイッチ回路は、複数個のスイッチ素子と、前記スイッチ素子のオン／オフの切替を行う複数本の切替配線とを有し、前記複数個のスイッチ素子は、それぞれ、前記複数本の切替配線のうちのいずれかに接続しており、
前記複数本の映像信号線は、それぞれ、１個のスイッチ素子を介して１個の前記映像信号入力端子に接続しており、
１個の前記映像信号入力端子に接続している複数個のスイッチ素子は、それぞれ、異なる切替配線に接続しており、
前記複数本の切替配線のうちの１本の切替配線に接続している前記スイッチ素子のそれぞれに接続している複数本の映像信号線は、当該複数本の映像信号線において隣接する２本の映像信号線の間に配置される他の映像信号線の数が２通り以上であることを特徴とする液晶表示装置。
【請求項２】
複数本の走査信号線と、絶縁層を介して前記走査信号線と立体交差する複数本の映像信号線と、前記走査信号線と前記映像信号線とが立体交差する位置の近傍のそれぞれに配置された複数個のＴＦＴ素子と、それぞれの前記ＴＦＴ素子のソースまたはドレインに接続された複数個の電極と、前記映像信号線の数よりも少ない複数個の映像信号入力端子と、前記複数個の映像信号入力端子と前記複数本の映像信号線との間に介在するスイッチ回路と、前記複数個の映像信号入力端子のそれぞれに映像信号を入力する駆動回路とを有する液晶表示装置であって、
前記スイッチ回路は、複数個のスイッチ素子と、前記スイッチ素子のオン／オフの切替を行う複数本の切替配線とを有し、前記複数個のスイッチ素子は、それぞれ、前記複数本の切替配線のうちのいずれかに接続しており、
前記複数本の映像信号線は、それぞれ、１個のスイッチ素子を介して１個の映像信号入力端子に接続しており、
１個の前記映像信号入力端子に接続している複数個のスイッチ素子は、それぞれ、異なる切替配線に接続しており、
第１の映像信号入力端子に接続された複数本の前記映像信号線と、第２の映像信号入力端子に接続された複数本の前記映像信号線とが、１本ずつ交互に配置されていることを特徴とする液晶表示装置。
【請求項３】
前記スイッチ回路は、前記複数本の映像信号線の配置方向に沿ってみたときに、１つの前記映像信号入力端子に接続された複数本の前記映像信号線と、当該複数本の前記映像信号線に接続された前記スイッチ素子が接続している切替配線との並び順の関係が２通りあり、かつ、当該２通りの関係が、逆の関係になっていることを特徴とする請求項１または請求項２に記載の液晶表示装置。
【請求項４】
前記ＴＦＴ素子は、前記ドレインまたは前記ソースのうちの前記電極に接続していないほうが前記映像信号線に接続しており、
１本の映像信号線に接続している複数個のＴＦＴ素子は、前記複数本の映像信号線の配置方向でみた、前記ＴＦＴ素子と、接続している前記映像信号線との位置関係がすべて同じ関係であることを特徴とする請求項１または請求項２に記載の液晶表示装置。
【請求項５】
前記ＴＦＴ素子は、前記ドレインまたは前記ソースのうちの前記電極に接続していないほうが前記映像信号線に接続しており、
１本の映像信号線に接続している複数個のＴＦＴ素子は、前記複数本の映像信号線の配置方向でみた、前記ＴＦＴ素子と、接続している前記映像信号線との位置関係が、あらかじめ定められた数毎に反転した関係であることを特徴とする請求項１または請求項２に記載の液晶表示装置。
【請求項６】
前記複数本の映像信号線のうちの、最も外側に配置された２本の映像信号線が、電気的に接続されていることを特徴とする請求項５に記載の液晶表示装置。
【請求項７】
隣接する２本の前記映像信号線の間に、当該映像信号線の延在方向に沿って配置されている複数の前記電極は、隣接する２つの前記電極の前記走査信号線の配置方向でみた位置があらかじめ定められた距離だけずれており、かつ、１つの前記電極を挟んで隣接する２つの前記電極の前記走査信号線の配置方向でみた位置が同じ位置であることを特徴とする請求項１または請求項２に記載の液晶表示装置。
【請求項８】
前記スイッチ素子は、ＴＦＴ素子であり、当該ＴＦＴ素子のゲートと前記切替配線とが接続していることを特徴とする請求項１または請求項２に記載の液晶表示装置。
【請求項９】
複数本の走査信号線と、絶縁層を介して前記走査信号線と立体交差する複数本の映像信号線と、前記走査信号線と前記映像信号線とが立体交差する位置の近傍のそれぞれに配置された複数個のＴＦＴ素子と、それぞれの前記ＴＦＴ素子のソースまたはドレインに接続された複数個の電極と、前記映像信号線の数よりも少ない複数個の映像信号入力端子と、前記複数個の映像信号入力端子と前記複数本の映像信号線との間に介在するスイッチ回路と、前記複数個の映像信号入力端子のそれぞれに映像信号を入力する駆動回路とを有する液晶表示装置であって、
前記スイッチ回路は、複数個のスイッチ素子と、前記スイッチ素子のオン／オフの切替を行う複数本の切替配線とを有し、前記複数個のスイッチ素子は、それぞれ、前記複数本の切替配線のうちのいずれかに接続しており、
前記複数本の映像信号線は、それぞれ、１個のスイッチ素子を介して前記複数個の映像信号入力端子に接続しており、
１個の前記映像信号入力端子に接続している複数個のスイッチ素子は、それぞれ、異なる切替配線に接続しており、かつ、１つの前記映像信号入力端子に前記スイッチ素子を介して接続している複数本の映像信号線は、連続して並列に配置されており、
１本の映像信号線に接続している複数個のＴＦＴ素子は、前記複数本の映像信号線の配置方向でみた、前記ＴＦＴ素子と、接続している前記映像信号線との位置関係が、あらかじめ定められた数毎に反転した関係であることを特徴とする液晶表示装置。
【請求項１０】
前記複数本の映像信号線のうちの、最も外側に配置された２本の映像信号線が、電気的に接続されていることを特徴とする請求項９に記載の液晶表示装置。
【請求項１１】
前記スイッチ素子は、ＴＦＴ素子であり、当該ＴＦＴ素子のゲートと前記切替配線とが接続していることを特徴とする請求項９に記載の表示装置。
【請求項１２】
複数本の走査信号線と、絶縁層を介して前記走査信号線と立体交差する複数本の映像信号線と、前記走査信号線と前記映像信号線とが立体交差する位置の近傍のそれぞれに配置された複数個のＴＦＴ素子と、それぞれの前記ＴＦＴ素子のソースまたはドレインに接続された複数個の電極と、前記映像信号線の数よりも少ない複数個の映像信号入力端子と、前記複数個の映像信号入力端子と前記複数本の映像信号線との間に介在するスイッチ回路と、前記複数個の映像信号入力端子のそれぞれに映像信号を入力する駆動回路とを有する液晶表示装置であって、
前記スイッチ回路は、複数個のスイッチ素子と、前記スイッチ素子のオン／オフの切替を行う複数本の切替配線とを有し、前記複数個のスイッチ素子は、それぞれ、前記複数本の切替配線のうちのいずれかに接続しており、
前記複数本の映像信号線は、それぞれ、第１のスイッチ素子を介して第１の映像信号入力端子に接続し、かつ、第２のスイッチ素子を介して第２の映像信号入力端子に接続しており、
１本の前記映像信号線に接続している前記第１のスイッチ素子と前記第２のスイッチ素子とは、異なる切替配線に接続しており、
１組の第１の映像信号入力端子および第２の映像信号入力端子に接続される複数本の映像信号線のそれぞれに接続された前記第１のスイッチ素子と前記第２のスイッチ素子とは、それぞれ、前記第１のスイッチ素子が接続している切替配線と前記第２のスイッチ素子が接続している切替配線との組み合わせが異なることを特徴とする液晶表示装置。
【請求項１３】
複数本の走査信号線と、絶縁層を介して前記走査信号線と立体交差する複数本の映像信号線と、前記走査信号線と前記映像信号線とが立体交差する位置の近傍のそれぞれに配置された複数個のＴＦＴ素子と、それぞれの前記ＴＦＴ素子のソースまたはドレインに接続された複数個の電極と、前記映像信号線の数よりも少ない複数個の映像信号入力端子と、前記複数個の映像信号入力端子と前記複数本の映像信号線との間に介在するスイッチ回路と、前記複数個の映像信号入力端子のそれぞれに映像信号を入力する駆動回路とを有する液晶表示装置であって、
前記スイッチ回路は、複数個のスイッチ素子と、前記スイッチ素子のオン／オフの切替を行う複数本の切替配線とを有し、前記複数個のスイッチ素子は、それぞれ、前記複数本の切替配線のうちのいずれかに接続しており、
前記複数本の映像信号線は、それぞれ、第１のスイッチ素子および第２のスイッチ素子を介して第１の映像信号入力端子に接続し、かつ、第１のスイッチ素子および第３のスイッチ素子を介して第２の映像信号入力端子に接続しており、
１個の前記映像信号入力端子には、前記第２のスイッチ素子が同じ切替配線に接続され、かつ、第１のスイッチ素子が異なる切替配線に接続された複数本の映像信号線と、第３のスイッチ素子が同じ切替配線に接続され、かつ、第１のスイッチ素子が異なる切替配線に接続された複数本の映像信号線とが接続していることを特徴とする液晶表示装置。
【請求項１４】
１個の前記映像信号入力端子には、１個の第２のスイッチ素子および１個の第３のスイッチ素子が接続しており、
第２のスイッチ素子および第３のスイッチ素子には、それぞれ、第１のスイッチ素子が異なる切替配線に接続された複数本の映像信号線が接続していることを特徴とする請求項１３に記載の液晶表示装置。
【請求項１５】
前記ＴＦＴ素子は、前記ドレインまたは前記ソースのうちの前記電極に接続していないほうが前記映像信号線に接続しており、
１本の映像信号線に接続している複数個のＴＦＴ素子は、前記複数本の映像信号線の配置方向でみた、前記ＴＦＴ素子と、接続している前記映像信号線との位置関係がすべて同じ関係であることを特徴とする請求項１２または請求項１３に記載の液晶表示装置。
【請求項１６】
隣接する２本の前記映像信号線の間に、当該映像信号線の延在方向に沿って配置されている複数の前記電極は、隣接する２つの前記電極の前記走査信号線の配置方向でみた位置があらかじめ定められた距離だけずれており、かつ、１つの前記電極を挟んで隣接する２つの前記電極の前記走査信号線の配置方向でみた位置が同じ位置であることを特徴とする請求項１２または請求項１３に記載の液晶表示装置。
【請求項１７】
前記スイッチ素子は、ＴＦＴ素子であり、当該ＴＦＴ素子のゲートと前記切替配線とが接続していることを特徴とする請求項１２または請求項１３に記載の液晶表示装置。
【発明の詳細な説明】
【技術分野】
【０００１】
本発明は、液晶表示装置に関し、特に、携帯型電子機器に用いる液晶表示装置に適用して有効な技術に関するものである。
【背景技術】
【０００２】
従来、携帯電話端末やＰＤＡなどの携帯型電子機器のディスプレイには、液晶表示装置（液晶表示モジュールと呼ぶこともある）が用いられている。
【０００３】
液晶表示装置は、一対の基板の間に液晶材料を封入した液晶表示パネルを有する。液晶表示パネルの表示領域は、ＴＦＴ素子、画素電極、共通電極、および液晶材料を有する画素の集合で構成されている。このとき、各画素の輝度（階調）は、画素電極と共通電極との電位差によって強度が変化する電界により液晶材料中の液晶分子の向きを変えることで制御する。
【０００４】
また、液晶表示装置で映像や画像を表示するときには、たとえば、１フレーム期間毎に、各画素における画素電極の電位と共通電極の電位との関係を反転させることで画質の低下を防いでいる。
【０００５】
またさらに、液晶表示装置で映像や画像を表示するときには、たとえば、１フレーム期間に、画素電極の電位を共通電極の電位よりも高くする画素と、画素電極の電位を共通電極の電位よりも低くする画素とを混在させることで画質の低下を防いでいる。
【０００６】
１フレーム期間に、画素電極の電位を共通電極の電位よりも高くする画素と、画素電極の電位を共通電極の電位よりも低くする画素とを設ける方法には、たとえば、列毎反転駆動と呼ばれる駆動方法や、ドット反転駆動と呼ばれる駆動方法がある。列毎反転駆動は、１フレーム期間中、映像信号線の延在方向に沿って並んでいる画素は画素電極の電位と共通電極の電位との関係が同じであり、映像信号線を挟んで隣接する２つの画素は画素電極の電位と共通電極の電位との関係が反対の関係であるような駆動方法である。また、ドット反転駆動は、１フレーム期間中、映像信号線の延在方向で隣接する２つの画素、および映像信号線を挟んで隣接する２つの画素の両方で、画素電極の電位と共通電極の電位との関係が反対の関係になる駆動方法である。
【０００７】
ところで、従来の液晶表示装置では、一般に、映像信号線に映像信号を加えるドライバＩＣの端子の数と映像信号線の数が等しい。しかしながら、近年の液晶表示装置には、たとえば、液晶表示パネル上の映像信号入力端子の数を、表示領域に配置された映像信号線の数よりも少なくし、映像信号入力端子と映像信号線との間にスイッチ回路を介在させたものが提案されている（たとえば、特許文献１を参照。）。
【０００８】
このような液晶表示装置では、１個の映像信号入力端子が、たとえば、隣接する３本の映像信号線のそれぞれとスイッチ素子を介して接続しており、１本の走査信号線が選択されている期間に、１個の映像信号入力端子に対して、３本の映像信号線のそれぞれに加える信号が加えられる。そして、１本の走査信号線が選択されている期間に、スイッチ素子のオン・オフを切り替えて、１個の映像信号入力端子に加えられた映像信号を３本の映像信号に振り分けて加える。このような液晶表示装置では、従来と同じ解像度でもドライバＩＣの出力端子数を３分の１に減らすことができる。そのため、携帯型電子機器のディスプレイに用いられる小型の液晶表示装置の高解像度化（高精細化）が期待できる。
【特許文献１】特開２００２−３７２９５５号公報
【発明の開示】
【発明が解決しようとする課題】
【０００９】
携帯型電子機器のディスプレイに用いられる液晶表示装置に限らず、近年の液晶表示装置では、たとえば、動画の表示性能を向上させるために、ドット反転駆動と呼ばれる駆動方法を採用することが多い。
【００１０】
しかしながら、従来の液晶表示装置をドット反転駆動させる場合、ドライバＩＣにおいて生成する映像信号（階調電圧）の極性、言い換えると映像信号の電位と共通電極の電位との関係を、たとえば、１つの画素電極に加える映像信号毎に反転させる必要がある。そのため、ドライバＩＣの消費電力が増大するという問題がある。また、従来の液晶表示装置をドット反転駆動させる場合、ドライバＩＣの発熱量が増大し、故障や誤動作などが起こりやすくなるという問題もある。
【００１１】
また、携帯型電子機器は、一般に、バッテリー（内蔵充電池）で動作させるため、液晶表示装置の低消費電力化が望まれている。
【００１２】
本発明の目的は、液晶表示装置の高画質化と低消費電力化を両立することが可能な技術を提供することにある。
【００１３】
本発明の前記ならびにその他の目的と新規な特徴は、本明細書の記述および添付図面によって明らかになるであろう。
【課題を解決するための手段】
【００１４】
本願において開示される発明のうち、代表的なものの概略を説明すれば、以下の通りである。
【００１５】
（１）複数本の走査信号線と、絶縁層を介して前記走査信号線と立体交差する複数本の映像信号線と、前記走査信号線と前記映像信号線とが立体交差する位置の近傍のそれぞれに配置された複数個のＴＦＴ素子と、それぞれの前記ＴＦＴ素子のソースまたはドレインに接続された複数個の電極と、前記映像信号線の数よりも少ない複数個の映像信号入力端子と、前記複数個の映像信号入力端子と前記複数本の映像信号線との間に介在するスイッチ回路と、前記複数個の映像信号入力端子のそれぞれに映像信号を入力する駆動回路とを有する液晶表示装置であって、前記スイッチ回路は、複数個のスイッチ素子と、前記スイッチ素子のオン／オフの切替を行う複数本の切替配線とを有し、前記複数個のスイッチ素子は、それぞれ、前記複数本の切替配線のうちのいずれかに接続しており、前記複数本の映像信号線は、それぞれ、１個のスイッチ素子を介して１個の映像信号入力端子に接続しており、１個の前記映像信号入力端子に接続している複数個のスイッチ素子は、それぞれ、異なる切替配線に接続しており、前記複数本の切替配線のうちの１本の切替配線にゲートが接続している前記スイッチ素子のそれぞれに接続している複数本の映像信号線は、当該複数本の映像信号線において隣接する２本の映像信号線の間に配置される他の映像信号線の数が２通り以上である液晶表示装置。
【００１６】
（２）複数本の走査信号線と、絶縁層を介して前記走査信号線と立体交差する複数本の映像信号線と、前記走査信号線と前記映像信号線とが立体交差する位置の近傍のそれぞれに配置された複数個のＴＦＴ素子と、それぞれの前記ＴＦＴ素子のソースまたはドレインに接続された複数個の電極と、前記映像信号線の数よりも少ない複数個の映像信号入力端子と、前記複数個の映像信号入力端子と前記複数本の映像信号線との間に介在するスイッチ回路と、前記複数個の映像信号入力端子のそれぞれに映像信号を入力する駆動回路とを有する液晶表示装置であって、前記スイッチ回路は、複数個のスイッチ素子と、前記スイッチ素子のオン／オフの切替を行う複数本の切替配線とを有し、前記複数個のスイッチ素子は、それぞれ、前記複数本の切替配線のうちのいずれかに接続しており、前記複数本の映像信号線は、それぞれ、１個のスイッチ素子を介して１個の映像信号入力端子に接続しており、１個の前記映像信号入力端子に接続している複数個のスイッチ素子は、それぞれ、異なる切替配線に接続しており、第１の映像信号入力端子に接続された複数本の前記映像信号線と、第２の映像信号入力端子に接続された複数本の前記映像信号線とが、１本ずつ交互に配置されている液晶表示装置。
【００１７】
（３）前記（１）または（２）の液晶表示装置において、前記スイッチ回路は、前記複数本の映像信号線の配置方向に沿ってみたときに、１個の前記映像信号入力端子に接続された複数本の前記映像信号線と、当該複数本の前記映像信号線に接続された前記スイッチ素子が接続している切替配線との並び順の関係が２通りあり、かつ、当該２通りの関係が、逆の関係になっている液晶表示装置。
【００１８】
（４）前記（１）または（２）の液晶表示装置において、前記ＴＦＴ素子は、前記ドレインまたは前記ソースのうちの前記電極に接続していないほうが前記映像信号線に接続しており、１本の映像信号線に接続している複数個のＴＦＴ素子は、前記複数本の映像信号線の配置方向でみた、前記ＴＦＴ素子と、接続している前記映像信号線との位置関係がすべて同じ関係である液晶表示装置。
【００１９】
（５）前記（１）または（２）の液晶表示装置において、前記ＴＦＴ素子は、前記ドレインまたは前記ソースのうちの前記電極に接続していないほうが前記映像信号線に接続しており、１本の映像信号線に接続している複数個のＴＦＴ素子は、前記複数本の映像信号線の配置方向でみた、前記ＴＦＴ素子と、接続している前記映像信号線との位置関係が、あらかじめ定められた数毎に反転した関係である液晶表示装置。
【００２０】
（６）前記（５）の液晶表示装置において、前記複数本の映像信号線のうちの、最も外側に配置された２本の映像信号線が、電気的に接続されている液晶表示装置。
【００２１】
（７）前記（１）または（２）の液晶表示装置において、隣接する２本の前記映像信号線の間に、当該映像信号線の延在方向に沿って配置されている複数の前記電極は、隣接する２つの前記電極の前記走査信号線の配置方向でみた位置があらかじめ定められた距離だけずれており、かつ、１つの前記電極を挟んで隣接する２つの前記電極の前記走査信号線の配置方向でみた位置が同じ位置である液晶表示装置。
【００２２】
（８）前記（１）または（２）の液晶表示装置において、前記スイッチ素子は、ＴＦＴ素子であり、当該ＴＦＴ素子のゲートと前記切替配線とが接続している液晶表示装置。
【００２３】
（９）複数本の走査信号線と、絶縁層を介して前記走査信号線と立体交差する複数本の映像信号線と、前記走査信号線と前記映像信号線とが立体交差する位置の近傍のそれぞれに配置された複数個のＴＦＴ素子と、それぞれの前記ＴＦＴ素子のソースまたはドレインに接続された複数個の電極と、前記映像信号線の数よりも少ない複数個の映像信号入力端子と、前記複数個の映像信号入力端子と前記複数本の映像信号線との間に介在するスイッチ回路と、前記複数個の映像信号入力端子のそれぞれに映像信号を入力する駆動回路とを有する液晶表示装置であって、前記スイッチ回路は、複数個のスイッチ素子と、前記スイッチ素子のオン／オフの切替を行う複数本の切替配線とを有し、前記複数個のスイッチ素子は、それぞれ、前記複数本の切替配線のうちのいずれかに接続しており、前記複数本の映像信号線は、それぞれ、１個のスイッチ素子を介して前記複数個の映像信号入力端子に接続しており、１個の前記映像信号入力端子に接続している複数個のスイッチ素子は、それぞれ、異なる切替配線に接続しており、かつ、１個の前記映像信号入力端子に前記スイッチ素子を介して接続している複数本の映像信号線は、連続して並列に配置されており、１本の映像信号線に接続している複数個のＴＦＴ素子は、前記複数本の映像信号線の配置方向でみた、前記ＴＦＴ素子と、接続している前記映像信号線との位置関係が、あらかじめ定められた数毎に反転した関係である液晶表示装置。
【００２４】
（１０）前記（９）の液晶表示装置において、前記複数本の映像信号線のうちの、最も外側に配置された２本の映像信号線が、電気的に接続されている液晶表示装置。
【００２５】
（１１）前記（９）の液晶表示装置において、前記スイッチ素子は、ＴＦＴ素子であり、当該ＴＦＴ素子のゲートと前記切替配線とが接続している液晶表示装置。
【００２６】
（１２）複数本の走査信号線と、絶縁層を介して前記走査信号線と立体交差する複数本の映像信号線と、前記走査信号線と前記映像信号線とが立体交差する位置の近傍のそれぞれに配置された複数個のＴＦＴ素子と、それぞれの前記ＴＦＴ素子のソースまたはドレインに接続された複数個の電極と、前記映像信号線の数よりも少ない複数個の映像信号入力端子と、前記複数個の映像信号入力端子と前記複数本の映像信号線との間に介在するスイッチ回路と、前記複数個の映像信号入力端子のそれぞれに映像信号を入力する駆動回路とを有する液晶表示装置であって、前記スイッチ回路は、複数個のスイッチ素子と、前記スイッチ素子のオン／オフの切替を行う複数本の切替配線とを有し、前記複数個のスイッチ素子は、それぞれ、前記複数本の切替配線のうちのいずれかに接続しており、前記複数本の映像信号線は、それぞれ、第１のスイッチ素子を介して第１の映像信号入力端子に接続し、かつ、第２のスイッチ素子を介して第２の映像信号入力端子に接続しており、１本の前記映像信号線に接続している前記第１のスイッチ素子と前記第２のスイッチ素子とは、異なる切替配線に接続しており、１組の第１の映像信号入力端子および第２の映像信号入力端子に接続される複数本の映像信号線に接続された前記第１のスイッチ素子と前記第２のスイッチ素子とは、それぞれ、前記第１のスイッチ素子が接続している切替配線と前記第２のスイッチ素子が接続している切替配線との組み合わせが異なる液晶表示装置。
【００２７】
（１３）複数本の走査信号線と、絶縁層を介して前記走査信号線と立体交差する複数本の映像信号線と、前記走査信号線と前記映像信号線とが立体交差する位置の近傍のそれぞれに配置された複数個のＴＦＴ素子と、それぞれの前記ＴＦＴ素子のソースまたはドレインに接続された複数個の電極と、前記映像信号線の数よりも少ない複数個の映像信号入力端子と、前記複数個の映像信号入力端子と前記複数本の映像信号線との間に介在するスイッチ回路と、前記複数個の映像信号入力端子のそれぞれに映像信号を入力する駆動回路とを有する液晶表示装置であって、前記スイッチ回路は、複数個のスイッチ素子と、前記スイッチ素子のオン／オフの切替を行う複数本の切替配線とを有し、前記複数個のスイッチ素子は、それぞれ、前記複数本の切替配線のうちのいずれかに接続しており、前記複数本の映像信号線は、それぞれ、第１のスイッチ素子および第２のスイッチ素子を介して第１の映像信号入力端子に接続し、かつ、第１のスイッチ素子および第３のスイッチ素子を介して第２の映像信号入力端子に接続しており、１つの前記映像信号入力端子には、前記第２のスイッチ素子が同じ切替配線に接続され、かつ、第１のスイッチ素子が異なる切替配線に接続された複数本の映像信号線と、第３のスイッチ素子が同じ切替配線に接続され、かつ、第１のスイッチ素子が異なる切替配線に接続された複数本の映像信号線とが接続している液晶表示装置。
【００２８】
（１４）前記（１３）の液晶表示装置において、１個の前記映像信号入力端子には、１個の第２のスイッチ素子および１個の第３のスイッチ素子が接続しており、第２のスイッチ素子および第３のスイッチ素子には、それぞれ、第１のスイッチ素子が異なる切替配線に接続された複数本の映像信号線が接続している液晶表示装置。
【００２９】
（１５）前記（１２）または（１３）の液晶表示装置において、前記ＴＦＴ素子は、前記ドレインまたは前記ソースのうちの前記電極に接続していないほうが前記映像信号線に接続しており、１本の映像信号線に接続している複数個のＴＦＴ素子は、前記複数本の映像信号線の配置方向でみた、前記ＴＦＴ素子と、接続している前記映像信号線との位置関係がすべて同じ関係である液晶表示装置。
【００３０】
（１６）前記（１２）または（１３）の液晶表示装置において、隣接する２本の前記映像信号線の間に、当該映像信号線の延在方向に沿って配置されている複数の前記電極は、隣接する２つの前記電極の前記走査信号線の配置方向でみた位置があらかじめ定められた距離だけずれており、かつ、１つの前記電極を挟んで隣接する２つの前記電極の前記走査信号線の配置方向でみた位置が同じ位置である液晶表示装置。
【００３１】
（１７）前記（１２）または（１３）の液晶表示装置において、前記スイッチ素子は、ＴＦＴ素子であり、当該ＴＦＴ素子のゲートと前記切替配線とが接続している液晶表示装置。
【発明の効果】
【００３２】
本発明の表示装置によれば、液晶表示装置の高画質化と低消費電力化を両立することができる。
【発明を実施するための最良の形態】
【００３３】
以下、本発明について、図面を参照して実施の形態（実施例）とともに詳細に説明する。
なお、実施例を説明するための全図において、同一機能を有するものは、同一符号を付け、その繰り返しの説明は省略する。
【００３４】
図１（ａ）乃至図１（ｃ）は、本発明に関わる液晶表示装置の概略構成の一例を示す模式図である。
図１（ａ）は、本発明に関わる液晶表示装置の平面構成の一例を示す模式平面図である。図１（ｂ）は、表示領域の１つの画素の回路構成の一例を示す模式回路図である。図１（ｃ）は、１つの画素の回路構成の別の表現方法の一例を示す模式回路図である。
【００３５】
本発明は、たとえば、図１（ａ）乃至図１（ｃ）に示すような構成の液晶表示パネルを有する液晶表示装置に適用される。液晶表示パネルは、ＴＦＴ基板１および対向基板２の一対の基板の間に液晶材料（図示しない）を封入した表示パネルである。このとき、液晶表示パネルが、たとえば、横電界駆動方式のものであるとすると、ＴＦＴ基板１は、たとえば、複数本の走査信号線ＧＬ、複数本の映像信号線ＤＬ、コモン給電配線ＣＢ、スイッチ回路１０１、映像信号入力線１０２、外部信号入力線１０３などを有する。また、液晶表示パネル（ＴＦＴ基板１）には、当該液晶表示パネルを駆動する駆動回路３が搭載されている。
【００３６】
複数本の走査信号線ＧＬは、それぞれ、表示領域ＤＡを通る部分を有し、当該表示領域ＤＡを通る部分は、ｘ方向に延在している。このとき、それぞれの走査信号線ＧＬの表示領域ＤＡを通る部分は、ｙ方向に並列配置されている。またこのとき、それぞれの走査信号線ＧＬは、駆動回路３に接続している。
【００３７】
複数本の映像信号線ＤＬは、それぞれ、表示領域ＤＡを通る部分を有し、当該表示領域ＤＡを通る部分は、ｙ方向に延在している。このとき、それぞれの映像信号線ＤＬの表示領域ＤＡを通る部分は、ｘ方向に並列配置されている。またこのとき、それぞれの映像信号線ＤＬは、スイッチ回路１０１を介して映像信号入力線１０２に接続しており、映像信号入力線１０２は、駆動回路３に接続している。
【００３８】
液晶表示パネルの表示領域ＤＡは、マトリクス状に配置された複数の画素からなり、１つの画素が占有する領域は、たとえば、隣接する２本の走査信号線ＧＬと隣接する２本の映像信号線ＤＬとで囲まれる領域に相当する。このとき、１つの画素は、たとえば、図１（ｂ）に示すように、ＴＦＴ素子Ｔｒ１、ＴＦＴ素子Ｔｒ１のソースに接続された画素電極ＰＸ、およびコモン給電配線ＣＢに接続された対向電極（図示しない）とを有する。またこのとき、１つの画素は、たとえば、画素電極ＰＸ、対向電極、および液晶材料で形成される画素容量ＣＬＣ（液晶容量と呼ぶこともある）と、画素電極ＰＸ、対向電極とは別の導電層、および絶縁層で形成される保持容量ＣＳＴＧ（補助容量または蓄積容量と呼ぶこともある）を有する。
【００３９】
なお、保持容量ＣＳＴＧは、たとえば、画素電極、対向電極、および絶縁層で形成される場合もあるし、設けない場合もある。
【００４０】
また、図１（ｂ）では、ＴＦＴ素子Ｔｒ１のゲートが２本の走査信号線ＧＬｍ，ＧＬｍ＋１のうちの上側の走査信号線ＧＬｍに接続しているが、これに限らず、下側の走査信号線ＧＬｍ＋１に接続していてもよいことはもちろんである。同様に、図１（ｂ）では、ＴＦＴ素子Ｔｒ１のドレインが２本の映像信号線ＤＬｎ，ＤＬｎ＋１のうちの左側の映像信号線ＤＬｎに接続しているが、これに限らず、右側の映像信号線ＤＬｎ＋１に接続していてもよいことはもちろんである。  
【００４１】
また、ＴＦＴ素子Ｔｒ１のソースとドレインは、バイアス、すなわち以下で説明する極性によって入れ替わり、画素電極ＰＸに接続しているほうがドレインになることもあるが、本明細書では、画素電極ＰＸに接続しているほうをソースと呼ぶ。
【００４２】
またさらに、１つの画素の構成は、たとえば、図１（ｃ）に示すように、ＴＦＴ素子Ｔｒ１および画素電極ＰＸのみで示すこともある。本明細書の以下の説明において参照する図において、画素の構成を示すときには、図１（ｃ）のような簡略化した方法で示す。
【００４３】
図２（ａ）および図２（ｂ）は、従来の液晶表示パネルの概略構成および駆動方法の一例を示す模式図である。
図２（ａ）は、従来の液晶表示パネルの概略構成の一例を示す模式回路図である。図２（ｂ）は、図２（ａ）に示した液晶表示パネルの駆動方法の一例を示す模式図である。
【００４４】
従来の液晶表示パネルにおけるスイッチ回路は、たとえば、図２（ａ）に示すように、複数個のＴＦＴ素子Ｔｒ２（以下、スイッチ素子という）と、３本の切替配線φ１，φ２，φ３とを有する。このとき、それぞれのスイッチ素子Ｔｒ２のゲートは、３本の切替配線φ１，φ２，φ３のうちのいずれかに接続している。
【００４５】
また、１本の映像信号線ＤＬｎ（ｎ＝１，２，３，・・・，３Ｎのいずれかの整数）は、１個のスイッチ素子Ｔｒ２を介して１つの映像信号入力端子ＤＴｑ（ｑ＝１，２，３，・・・，Ｎのいずれかの整数）に接続している。またこのとき、１つの映像信号入力端子ＤＴｑには、隣接する３本の映像信号線ＤＬ３ｑ−２，ＤＬ３ｑ−１，ＤＬ３ｑが接続している。またさらに、１つの映像信号入力端子ＤＴｑに接続している３個のスイッチ素子Ｔｒ２は、それぞれ、ゲートが接続している切替配線が異なる。なお、それぞれの映像信号入力端子ＤＴｑは、駆動回路３に接続している。駆動回路３が、半導体パッケージ（ＩＣチップ）などの電子部品である場合、それぞれの映像信号入力端子ＤＴｑは、駆動回路３の映像信号出力端子に接続されている。
【００４６】
このような液晶表示パネルの表示領域ＤＡは、たとえば、図２（ａ）に示したような構成になっている。図２（ａ）において、それぞれの画素電極ＰＸに記したＲｍ,ｑ，Ｇｍ,ｑ，Ｂｍ,ｑ（ｍ＝１，２，３，・・・，Ｍのいずれかの整数、ｑ＝１，２，３，・・・，Ｎのいずれかの整数）は、それぞれの画素電極ＰＸに加える階調電圧（映像信号）である。図２（ａ）には、ＲＧＢ方式のカラー表示に対応した液晶表示パネルの表示領域の構成を示しており、ｍ，ｑの組み合わせが同じ階調電圧Ｒｍ,ｑ，Ｇｍ,ｑ，Ｂｍ,ｑが加わる画素電極を有する３つの画素（たとえば、Ｒ１,１，Ｇ１,１，Ｂ１,１が加わる画素電極を有する３つの画素）により映像または画像の１ドットの色を表現する。
【００４７】
このような液晶表示パネルを駆動させるときには、各走査信号線ＧＬｍ、各切替配線φ１，φ２，φ３、および各映像信号入力端子ＤＴｑに加える信号を、たとえば、図２（ｂ）に示すようなタイミングで切り替える。
【００４８】
各走査信号線ＧＬｍに加える走査信号は、１フレーム期間を１周期とする信号であり、１フレーム期間ＦＬＭのうちの１水平選択期間ＧＳＰだけＨレベルになり、残りの期間はＬレベルになる信号である。１水平選択期間ＧＳＰは、たとえば、１フレーム期間ＦＬＭを走査信号線ＧＬの本数で除した期間であり、１水平選択期間ＧＳＰは、１本の走査信号線ＧＬに加わる走査信号のみがＨレベルになる。また、走査信号のＨレベルは、ＴＦＴ素子Ｔｒ１がオンになる電位であり、ＬレベルはＴＦＴ素子Ｔｒ１がオフになる電位である。
【００４９】
各切替配線φ１，φ２，φ３に加える切替信号は、たとえば、１水平選択期間ＧＳＰを１周期とする信号であり、１水平選択期間ＧＳＰのうちの１選択期間ΔＴだけＨレベルになり、残りの期間はＬレベルになる信号である。１選択期間ΔＴは、たとえば、１水平選択期間ＧＳＰを切替配線の本数で除した期間であり、１選択期間ΔＴの間は、１本の切替配線に加わる切替信号のみがＨレベルになる。また、切替信号のＨレベルは、スイッチ素子Ｔｒ２がオンになる電位であり、Ｌレベルはスイッチ素子Ｔｒ２がオフになる電位である。
【００５０】
このとき、映像信号入力端子ＤＴ１および映像信号入力端子ＤＴ２に、図２（ｂ）に示したような順番で階調電圧を入力すると、それぞれの階調電圧は、所定の映像信号線ＤＬ１，ＤＬ２，ＤＬ３，ＤＬ４，ＤＬ５，ＤＬ６に分配され、所定の画素電極ＰＸに与えられる。
【００５１】
したがって、このようなスイッチ回路１０１を有する液晶表示装置は、映像信号入力端子ＤＴｑの数、言い換えると駆動回路３の映像信号出力端子の数を減らすことができ、駆動回路３の小型化が可能になる。
【００５２】
図３（ａ）および図３（ｂ）は、別の観点による従来の液晶表示パネルの駆動方法の一例を示す模式図である。
図３（ａ）は、ドット反転駆動と呼ばれる駆動方法の原理を示す模式図である。図３（ｂ）は、ドット反転駆動をするときの階調電圧の入力方法を示す模式図である。
【００５３】
液晶表示装置（液晶表示パネル）を駆動するときには、画素電極ＰＸと対向電極との電位差によって液晶材料中の液晶分子に加わる電界の強さを制御し、光の透過率または反射率を制御する。このとき、液晶分子に加える電界には、画素電極ＰＸの電位を対向電極の電位よりも高くして加える電界と、画素電極の電位を対向電極の電位よりも低くして加える電界があり、この２通りの電界をあらかじめ定められた期間毎（たとえば、１フレーム期間毎）に反転させている。一般に、画素電極ＰＸの電位を対向電極の電位よりも高くする場合は、正極性と呼び、画素電極ＰＸの電位を対向電極の電位よりも低くする場合は、負極性と呼ぶ。
【００５４】
また、液晶表示装置（液晶表示パネル）を駆動するときには、１フレーム期間におけるすべての画素の極性を同じ極性にするのではなく、たとえば、ドット反転駆動と呼ばれる駆動方法で極性を反転させることが望ましい。ドット反転駆動は、１フレーム期間における各画素の極性を見たときに、たとえば、図３（ａ）に示すようになっており、走査信号線ＧＬの延在方向で隣接する２つの画素の極性、および映像信号線ＤＬの延在方向で隣接する２つの画素の極性が、ともに反転した関係になる駆動方法である。なお、図３（ａ）において、画素電極ＰＸに示した＋の記号は正極性であることを意味し、−の記号は負極性であることを意味する。またこのとき、次のフレーム期間は、正極性（＋）と負極性（−）が反転する。
【００５５】
ところで、図３（ａ）に示した構成の液晶表示パネルの、それぞれの映像信号入力端子ＤＴｑには、たとえば、図３（ｂ）に示したような順序で各画素に加える階調電圧が入力される。このとき、図３（ａ）に示したようなドット反転駆動を実現させるためには、それぞれの階調電圧の極性を、図３（ｂ）に示したような極性にする必要がある。したがって、駆動回路３において階調電圧を生成するときに、１個の映像信号入力端子に入力する階調電圧の反転回数が多くなり、駆動回路３の消費電力が増大するという問題がある。
【００５６】
図４（ａ）および図４（ｂ）は、参考例１の液晶表示パネルの駆動方法の一例を示す模式図である。
図４（ａ）は、参考例１の液晶表示パネルの駆動方法の一例を示す模式図である。図４（ｂ）は、映像信号入力端子に加える映像信号とその極性の一例を示す模式図である。
【００５７】
図２（ａ）に示した構成の液晶表示パネルをドット反転駆動させる場合、たとえば、図４（ａ）に示すように、各切替配線φ１，φ２，φ３に加える切替信号がＨレベルになる順番を変えることができる。図４（ａ）に示した例では、１周期（１水平選択期間）の間に、φ２，φ１，φ３の順に切替信号がＨレベルになるようにしている。各切替配線φ１，φ２，φ３に加える切替信号を、図４（ａ）に示したようなタイミングで切り替える場合、それぞれの映像信号入力端子ＤＴｑに入力する階調電圧の順番は、たとえば、図４（ａ）および図４（ｂ）に示したような順番に変わる。このとき、図３（ａ）に示したようなドット反転駆動をするのであれば、それぞれの階調電圧の極性は、図４（ｂ）に示したような極性になる。
【００５８】
このように、１個の映像信号入力端子ＤＴｑに入力する階調電圧の順番を変えれば、同じ極性の階調電圧を連続させることができる。そのため、図３（ｂ）に示した入力方法に比べて、階調電圧の極性の反転の頻度を減らすことができ、駆動回路３の消費電力を低減できる。
【００５９】
図５は、参考例２の液晶表示パネルの概略構成の一例を示す模式図である。図６は、参考例２の液晶表示パネルの駆動方法の一例を示す模式図である。
【００６０】
液晶表示パネルにスイッチ回路１０１を設ける場合、当該スイッチ回路１０１は、たとえば、図５に示すような構成にすることも可能である。このような液晶表示パネルを駆動させるときには、各走査信号線ＧＬｍ、各切替配線φ１，φ２，φ３、および各映像信号入力端子ＤＴｑに加える信号を、たとえば、図６に示すようなタイミングで切り替える。このとき、各切替配線φ１，φ２，φ３に加える切替信号は、図２（ｂ）に示した例と同様に、１水平選択期間ＧＳＰを１周期とし、当該１周期の間に、φ１，φ２，φ３の順にＨレベルになる。しかしながら、それぞれの映像信号入力端子ＤＴｑに入力する階調電圧の順番は、たとえば、図４（ｂ）に示したような順番に変わる。このとき、図３（ａ）に示したようなドット反転駆動をするのであれば、それぞれの階調電圧の極性は、図４（ｂ）に示したような極性になる。したがって、図３（ｂ）に示した入力方法に比べて、１個の映像信号入力端子ＤＴｑに入力する階調電圧の極性の反転の頻度を減らすことができ、駆動回路３の消費電力を低減できる。
【００６１】
本発明の液晶表示装置では、上記の参考例１および参考例２の構成および駆動方法を発展させることで、液晶表示装置の高画質化と低消費電力化を両立する。
【実施例１】
【００６２】
図７は、本発明による実施例１の液晶表示パネルの概略構成を示す模式図である。
【００６３】
実施例１の液晶表示パネルは、表示領域ＤＡの構成およびスイッチ回路１０１の構成を、たとえば、図７に示すような構成にする。
【００６４】
実施例１の液晶表示パネルは、ＲＧＢ方式のカラー表示に対応しており、走査信号線ＧＬの延在方法に沿って連続する３つの画素により映像または画像の１ドットを表現する。このとき、表示領域ＤＡには、３Ｎ本の映像信号線ＤＬ１〜ＤＬ３Ｎと、１本のダミーの映像信号線ＤＭが通っている。
【００６５】
表示領域ＤＡは、従来の一般的な液晶表示パネルと同様に、走査信号線ＧＬと映像信号線ＤＬとの交点の近傍にＴＦＴ素子Ｔｒ１を配置し、ゲートを走査信号線ＧＬに接続し、ドレインを映像信号線ＤＬに接続する。このとき、１本の映像信号線ＤＬに接続される複数のＴＦＴ素子Ｔｒ１は、ＴＦＴ素子Ｔｒ１と、接続されている映像信号線ＤＬとの位置関係がすべて同じ関係になっている。すなわち、隣接する２本の映像信号線ＤＬの間に、当該映像信号線ＤＬの延在方向に沿って配置されたＴＦＴ素子Ｔｒ１は、すべてが同じ映像信号線ＤＬに接続されている。  
【００６６】
また、実施例１の液晶表示パネルでは、各画素電極ＰＸに加える階調電圧を、図７に示したような並び順にする。
【００６７】
また、液晶表示パネルには、Ｎ個の映像信号入力端子ＤＴｑが設けられており、１つの映像信号入力端子ＤＴｑは、スイッチ回路１０１を介して連続する３本の映像信号線ＤＬ３ｑ−２，ＤＬ３ｑ−１，ＤＬ３ｑと接続される。
【００６８】
このとき、スイッチ回路１０１は、３Ｎ個のスイッチ素子Ｔｒ２と、３本の切替配線φ１，φ２，φ３を有し、それぞれのスイッチ素子Ｔｒ２のゲートは、３本の切替配線φ１，φ２，φ３のうちのいずれかに接続している。また、１つの映像信号入力端子ＤＴｑに接続している３個のスイッチ素子Ｔｒ２は、ゲートが異なる切替配線に接続されている。
【００６９】
１つの映像信号入力端子ＤＴ１に接続された３つのスイッチ素子Ｔｒ２は、ゲートが切替配線φ１に接続されたスイッチ素子、ゲートが切替配線φ２に接続されたスイッチ素子、およびゲートが切替配線φ３に接続されたスイッチ素子である。このとき、ゲートが切替配線φ１に接続されたスイッチ素子は、３本の映像信号線ＤＬ１，ＤＬ２，ＤＬ３のうちの映像信号線ＤＬ２に接続している。また、ゲートが切替配線φ２に接続されたスイッチ素子は、３本の映像信号線ＤＬ１，ＤＬ２，ＤＬ３のうちの映像信号線ＤＬ１に接続しており、ゲートが切替配線φ３に接続されたスイッチ素子は、３本の映像信号線ＤＬ１，ＤＬ２，ＤＬ３のうちの映像信号線ＤＬ３に接続している。
【００７０】
また、別の１つの映像信号入力端子ＤＴ２に接続された３つのスイッチ素子も、ゲートが切替配線φ１に接続されたスイッチ素子、ゲートが切替配線φ２に接続されたスイッチ素子、およびゲートが切替配線φ３に接続されたスイッチ素子である。このとき、ゲートが切替配線φ１に接続されたスイッチ素子は、３本の映像信号線ＤＬ４，ＤＬ５，ＤＬ６のうちの映像信号線ＤＬ５に接続している。また、ゲートが切替配線φ２に接続されたスイッチ素子は、３本の映像信号線ＤＬ４，ＤＬ５，ＤＬ６のうちの映像信号線ＤＬ６に接続しており、ゲートが切替配線φ３に接続されたスイッチ素子は、３本の映像信号線ＤＬ４，ＤＬ５，ＤＬ６のうちの映像信号線ＤＬ４に接続している。
【００７１】
そして、実施例１の液晶表示パネルでは、この２つの映像信号入力端子ＤＴ１，ＤＴ２と６本の映像信号線ＤＬ１〜ＤＬ６との接続形態が１つの単位になっており、これが繰り返されている。
【００７２】
図８（ａ）および図８（ｂ）は、実施例１の液晶表示パネルの駆動方法の一例を示す模式図である。
図８（ａ）は、実施例１の液晶表示パネルの駆動方法の一例を示す模式図である。図８（ｂ）は、映像信号入力端子に加える階調電圧とその極性の一例を示す模式図である。
【００７３】
実施例１の液晶表示パネルを駆動するときには、各走査信号線ＧＬｍ、各切替配線φ１，φ２，φ３、および各映像信号入力端子ＤＴｑに加える信号を、たとえば、図８（ａ）に示すようなタイミングで切り替える。このとき、各切替配線φ１，φ２，φ３に加える切替信号は、２水平選択期間を１周期とし、当該１周期の間に、φ１，φ２，φ３，φ１，φ３，φ２の順にＨレベルになるようにする。
【００７４】
このとき、１つの映像信号入力端子ＤＴ１と３本の映像信号線ＤＬ１，ＤＬ２，ＤＬ３とは、１周期（２水平選択期間）の間に、ＤＬ２，ＤＬ１，ＤＬ３，ＤＬ２，ＤＬ３，ＤＬ１の順に接続される。またこのとき、別の１つの映像信号入力端子ＤＴ２と３本の映像信号線ＤＬ４，ＤＬ５，ＤＬ６とは、１周期（２水平選択期間）の間に、ＤＬ５，ＤＬ６，ＤＬ４，ＤＬ５，ＤＬ４，ＤＬ６の順に接続される。したがって、映像信号入力端子ＤＴ１，ＤＴ２には、それぞれ、図８（ａ）に示したような順番で階調電圧を入力する。
【００７５】
また、図示は省略するが、残りの映像信号入力端子ＤＴ３〜ＤＴＮのそれぞれにも、図８（ａ）に示したような順番で階調電圧を入力する。
【００７６】
このとき、それぞれの映像信号入力端子ＤＴｑに入力する階調電圧の極性を、たとえば、図８（ｂ）のようにすると、実施例１の液晶表示パネルでドット反転駆動をさせることができる。そのため、１つの映像信号入力端子ＤＴｑに加える階調電圧の極性の反転頻度を、図３（ｂ）に示した従来の駆動方法における反転頻度に比べて１／３（２／６）にすることができ、駆動回路３における消費電力を低減できる。したがって、実施例１の液晶表示パネルを有する液晶表示装置は、高画質化と低消費電力化を両立することができる。
【実施例２】
【００７７】
図９は、本発明による実施例２の液晶表示パネルの概略構成の一例を示す模式図である。
【００７８】
実施例２の液晶表示パネルは、たとえば、図９に示すように、表示領域ＤＡの構成は、従来の液晶表示パネルにおける構成（たとえば、図２（ａ）に示した構成）と同じ構成である。
【００７９】
これに対し、実施例２の液晶表示パネルにおけるスイッチ回路１０１の構成は、たとえば、図９に示すように、１つの映像信号入力端子ＤＴ１に接続された３本の映像信号線ＤＬ１，ＤＬ３，ＤＬ５と、別の１つ映像信号入力端子ＤＴ２に接続された３本の映像信号線ＤＬ２，ＤＬ４，ＤＬ６が、１本ずつ交互に並んでいる。
【００８０】
このとき、３本の映像信号線ＤＬ１，ＤＬ３，ＤＬ５のそれぞれに接続されたスイッチ素子は、それぞれ、ゲートが切替配線φ１，φ３，φ２に接続している。またこのとき、３本の映像信号線ＤＬ２，ＤＬ４，ＤＬ６のそれぞれに接続されたスイッチ素子は、それぞれ、ゲートが切替配線φ２，φ１，φ３に接続している。そして、実施例２の液晶表示パネルでは、この２つの映像信号入力端子ＤＴ１，ＤＴ２と６本の映像信号線ＤＬ１〜ＤＬ６との接続形態が１つの単位になっており、これが繰り返されている。
【００８１】
図１０（ａ）および図１０（ｂ）は、実施例２の液晶表示パネルの駆動方法の一例を示す模式図である。
図１０（ａ）は、実施例２の液晶表示パネルの駆動方法の一例を示す模式図である。図１０（ｂ）は、映像信号入力端子に加える階調電圧とその極性の一例を示す模式図である。
【００８２】
実施例２の液晶表示パネルを駆動するときには、各走査信号線ＧＬｍ、各切替配線φ１，φ２，φ３、および各映像信号入力端子ＤＴｑに加える信号を、たとえば、図１０（ａ）に示すようなタイミングで切り替える。このとき、各切替配線φ１，φ２，φ３に加える切替信号は、１水平選択期間ＧＳＰを１周期とし、当該１周期の間に、φ１，φ２，φ３の順にＨレベルになるようにする。
【００８３】
このとき、１つの映像信号入力端子ＤＴ１と３本の映像信号線ＤＬ１，ＤＬ３，ＤＬ５とは、１周期（１水平選択期間）の間に、ＤＬ１，ＤＬ５，ＤＬ３の順に接続される。またこのとき、別の１つの映像信号入力端子ＤＴ２と３本の映像信号線ＤＬ２，ＤＬ４，ＤＬ６とは、１周期（１水平選択期間）の間に、ＤＬ４，ＤＬ２，ＤＬ６の順に接続される。したがって、映像信号入力端子ＤＴ１，ＤＴ２には、それぞれ、図１０（ａ）に示したような順番で階調電圧を入力する。
【００８４】
また、図示は省略するが、残りの映像信号入力端子ＤＴ３〜ＤＴＮのそれぞれにも、図１０（ａ）に示したような順番で階調電圧を入力する。
【００８５】
このとき、それぞれの映像信号入力端子ＤＴｑに入力する階調電圧の極性を、たとえば、図１０（ｂ）のようにすると、実施例２の液晶表示パネルでドット反転駆動をさせることができる。そのため、１つの映像信号入力端子ＤＴｑに加える階調電圧の極性の反転頻度を、図３（ｂ）に示した従来の駆動方法における反転頻度に比べて１／３（２／６）にすることができ、駆動回路３における消費電力を低減できる。したがって、実施例２の液晶表示パネルを有する液晶表示装置は、高画質化と低消費電力化を両立することができる。
【００８６】
図１１は、実施例２の液晶表示パネルの変形例の一例を示す模式図である。
【００８７】
図９に示した例では、スイッチ素子Ｔｒ２と映像信号入力端子ＤＴｑの間にある映像信号入力線１０２を交差させているが、実施例２の液晶表示パネルでは、これに限らず、たとえば、図１１に示すように、映像信号線ＤＬを交差させてもよいことはもちろんである。
【実施例３】
【００８８】
図１２は、本発明による実施例３の液晶表示パネルの概略構成の一例を示す模式図である。
【００８９】
実施例３の液晶表示パネルは、たとえば、図１２に示すように、表示領域ＤＡの構成は、従来の液晶表示パネルの構成（たとえば、図２（ａ）に示した構成）と同じ構成である。
【００９０】
これに対し、実施例３の液晶表示パネルにおけるスイッチ回路１０１の構成は、たとえば、図１２に示すように、６本の映像信号線ＤＬ１〜ＤＬ６が、それぞれ、第１のスイッチ素子Ｔｒ２を介して第１の映像信号入力端子ＤＴ１に接続し、第２のスイッチ素子Ｔｒ２を介して第２の映像信号入力端子ＤＴ２に接続している。
【００９１】
このとき、スイッチ回路１０１には、６本の切替配線φ１〜φ６が設けられており、６本の映像信号線ＤＬ１〜ＤＬ６に接続している第１のスイッチ素子Ｔｒ２は、ゲートが接続している切替配線が異なる。同様に、６本の映像信号線ＤＬ１〜ＤＬ６に接続している第２のスイッチ素子Ｔｒ２は、ゲートが接続している切替配線が異なる。そして、実施例３の液晶表示パネルでは、この２つの映像信号入力端子ＤＴ１，ＤＴ２と６本の映像信号線ＤＬ１〜ＤＬ６との接続形態が１つの単位になっており、これが繰り返されている。
【００９２】
図１３（ａ）および図１３（ｂ）は、実施例３の液晶表示パネルの駆動方法の一例を示す模式図である。
図１３（ａ）は、実施例３の液晶表示パネルの駆動方法の一例を示す模式図である。図１３（ｂ）は、映像信号入力端子に加える階調電圧とその極性の一例を示す模式図である。
【００９３】
実施例３の液晶表示パネルを駆動するときには、各走査信号線ＧＬｍ、各切替配線φ１〜φ６、および各映像信号入力端子ＤＴｑに加える信号を、たとえば、図１３（ａ）に示すようなタイミングで切り替える。このとき、各切替配線に加える切替信号は、２水平選択期間を１周期とし、当該１周期の間に、φ１，φ２，φ３，φ４，φ５，φ６の順にＨレベルになるようにする。
【００９４】
このとき、第１の映像信号入力端子ＤＴ１と６本の映像信号線ＤＬ１〜ＤＬ６とは、１周期（２水平選択期間）の間に、ＤＬ１，ＤＬ５，ＤＬ３，ＤＬ４，ＤＬ２，ＤＬ６の順に接続される。またこのとき、第２の映像信号入力端子ＤＴ２と６本の映像信号線ＤＬ１〜ＤＬ６とは、１周期（２水平選択期間）の間に、ＤＬ４，ＤＬ２，ＤＬ６，ＤＬ１，ＤＬ５，ＤＬ３の順に接続される。したがって、映像信号入力端子ＤＴ１，ＤＴ２には、それぞれ、図１３（ａ）に示したような順番で階調電圧を入力する。
【００９５】
また、図示は省略するが、残りの映像信号入力端子ＤＴ３〜ＤＴＮのそれぞれにも、図１３（ａ）に示したような順番で階調電圧を入力する。
【００９６】
このとき、それぞれの映像信号入力端子ＤＴｑに入力する階調電圧の極性を、たとえば、図１３（ｂ）のようにすると、実施例３の液晶表示パネルでドット反転駆動をさせることができる。すなわち、実施例３の液晶表示パネルを駆動させるときには、たとえば、１フレーム期間に１つの映像信号入力端子ＤＴｑに入力する階調電圧の極性を、すべて同じ極性にすることができ、１つの映像信号入力端子ＤＴｑに加える階調電圧の極性の反転頻度を、たとえば、１フレーム期間に１回の割合まで減らすことができる。すなわち、実施例３の液晶表示パネルを図１３（ａ）および図１３（ｂ）に示したような方法で駆動させる場合、駆動回路３では列毎反転駆動に相当する階調電圧を生成しつつ、液晶表示パネルをドット反転駆動させることができる。したがって、実施例３の液晶表示パネルを有する液晶表示装置は、高画質化と低消費電力化を両立することができる。
【実施例４】
【００９７】
図１４は、本発明による実施例４の液晶表示パネルの概略構成の一例を示す模式図である。
【００９８】
実施例４の液晶表示パネルは、たとえば、図１４に示すように、表示領域ＤＡの構成は、従来の液晶表示パネルの構成（たとえば、図２（ａ）に示した構成）と同じ構成である。
【００９９】
これに対し、実施例４の液晶表示パネルにおけるスイッチ回路１０１の構成は、たとえば、図１４に示すように、１本の映像信号線ＤＬｎが、第１のスイッチ素子Ｔｒ２および第２のスイッチ素子Ｔｒ２を介して第１の映像信号入力端子ＤＴ１に接続し、第１のスイッチ素子Ｔｒ２および第３のスイッチ素子Ｔｒ２を介して第２の映像信号入力端子ＤＴ２に接続している。
【０１００】
なお、第１の映像信号入力端子ＤＴ１および第２の映像信号入力端子ＤＴ２に接続している６本の映像信号線ＤＬ１〜ＤＬ６に接続している第１のスイッチ素子Ｔｒ２は、ゲートが切替配線φ１〜φ３のいずれかに接続しているスイッチ素子である。また、第２のスイッチ素子Ｔｒ２は、ゲートが切替配線φ４に接続しているスイッチ素子であり、第３のスイッチ素子Ｔｒ２は、ゲートが切替配線φ５に接続しているスイッチ素子である。
【０１０１】
このとき、１組の第２のスイッチ素子Ｔｒ２および第３のスイッチ素子Ｔｒ２に接続している３つの第１のスイッチ素子Ｔｒ２は、ゲートが異なる切替配線（φ１〜φ３のいずれか）に接続している。そして、実施例４の液晶表示パネルでは、この２つの映像信号入力端子ＤＴ１，ＤＴ２と６本の映像信号線ＤＬ１〜ＤＬ６との接続形態が１つの単位になっており、これが繰り返されている。
【０１０２】
図１５は、実施例４の液晶表示パネルの駆動方法の一例を示す模式図である。
【０１０３】
実施例４の液晶表示パネルを駆動するときには、各走査信号線ＧＬｍ、各切替配線φ１〜φ５、および各映像信号入力端子ＤＬｑに加える信号を、たとえば、図１５に示すようなタイミングで切り替える。このとき、各切替配線φ１〜φ５に加える切替信号は、２水平選択期間を１周期とし、切替配線φ１，φ２，φ３の切替信号は、当該１周期の間にφ１，φ２，φ３，φ１，φ２，φ３の順にＨレベルになるようにする。また、切替配線φ４，φ５の切替信号は、１周期（２水平選択期間）の間にφ４，φ５，φ４，φ５，φ４，φ５の順にＨレベルになるようにする。
【０１０４】
このとき、第１の映像信号入力端子ＤＴ１と６本の映像信号線ＤＬ１〜ＤＬ６とは、１周期（２水平選択期間）の間に、ＤＬ１，ＤＬ５，ＤＬ３，ＤＬ４，ＤＬ２，ＤＬ６の順に接続される。またこのとき、第２の映像信号入力端子ＤＴ２と６本の映像信号線ＤＬ１〜ＤＬ６とは、１周期（２水平選択期間）の間に、ＤＬ４，ＤＬ２，ＤＬ６，ＤＬ１，ＤＬ５，ＤＬ３の順に接続される。したがって、映像信号入力端子ＤＴ１，ＤＴ２には、それぞれ、図１５に示したような順番で階調電圧を入力する。
【０１０５】
また、図示は省略するが、残りの映像信号入力端子ＤＴ３〜ＤＴＮのそれぞれにも、図１５に示したような順番で階調電圧を入力する。
【０１０６】
このとき、それぞれの映像信号入力端子ＤＴｑに入力する階調電圧の極性を、たとえば、図１３（ｂ）に示したようにすると、実施例４の液晶表示パネルでドット反転駆動をさせることができる。すなわち、実施例４の液晶表示パネルを駆動させるときには、たとえば、１フレーム期間に１つの映像信号入力端子ＤＴｑに入力する階調電圧の極性を、すべて同じ極性にすることができる。したがって、実施例４の液晶表示パネルを有する液晶表示装置は、実施例３の液晶表示パネルを有する液晶表示装置と同様に、高画質化と低消費電力化を両立することができる。
【０１０７】
図１６は、実施例４の液晶表示パネルの変形例の一例を示す模式図である。
【０１０８】
図１４に示した例では、スイッチ素子Ｔｒ２と映像信号入力端子ＤＴｑの間にある映像信号入力線１０２を交差させているが、実施例４の液晶表示パネルでは、これに限らず、たとえば、図１６に示すように、切替配線φ３と切替配線φ４の間で第１のスイッチ素子Ｔｒ２と第３のスイッチ素子Ｔｒ２とを接続する配線を交差させてもよいことはもちろんである。
【実施例５】
【０１０９】
図１７は、本発明による実施例５の液晶表示パネルの概略構成の一例を示す模式図である。
【０１１０】
実施例１乃至実施例４の液晶表示パネルは、表示領域ＤＡの構成が、たとえば、図２（ａ）に示したような従来の液晶表示パネルにおける構成と同じ構成である。しかしながら、本発明は、そのような構成に限らず、たとえば、ＴＦＴ素子Ｔｒ１の配置が千鳥配置と呼ばれる構成の液晶表示パネルにも適用することができる。
【０１１１】
ＴＦＴ素子Ｔｒ１の配置が千鳥配置と呼ばれる構成の場合、たとえば、図１７に示すように、１本の映像信号線ＤＬｎに接続しているＴＦＴ素子は、走査信号線ＧＬの延在方向でみたＴＦＴ素子Ｔｒ１と、接続している映像信号線ＤＬｎとの位置関係が、１個ずつ反転した関係になっている。すなわち、隣接する２本の映像信号線ＤＬの間に、当該映像信号線ＤＬの延在方向に沿って並んだ複数の画素電極ＰＸは、２本の映像信号線ＤＬのうちの一方の映像信号線に接続している画素電極ＰＸと、他方の映像信号線ＤＬに接続している画素電極ＰＸとが交互に並んでいる。
【０１１２】
このとき、表示領域ＤＡには、３Ｎ＋１本の映像信号線ＤＬ１〜ＤＬ３Ｎ＋１が通っており、これらの３Ｎ＋１本の映像信号線を挟むように、２本のダミーの映像信号線ＤＭ１，ＤＭ２が通っている。
【０１１３】
またこのとき、スイッチ回路１０１は、映像信号線ＤＬ１〜ＤＬ３Ｎと、映像信号入力端子ＤＴ１〜ＤＴＮとを接続する部分については、図２（ａ）に示した構成と同じ構成であり、連続する３本の映像信号線ＤＬ３ｑ−２，ＤＬ３ｑ−１，ＤＬ３ｑを１つの映像信号入力端子ＤＴｑ（ｑ＝１，２，３，・・・，Ｎのいずれかの整数）に接続している。また、映像信号線ＤＬ３Ｎ＋１は、ゲートが切替配線φ１に接続されたスイッチ素子Ｔｒ２により映像信号入力端子ＤＴＮ＋１に接続している。
【０１１４】
また、実施例５の液晶表示パネルにおいて、ダミーの映像信号線ＤＭ１と映像信号線ＤＬ１の間に配置された画素電極ＰＸに加える階調電圧Ｄ１,１，Ｄ２,１，・・・、および映像信号線ＤＬ３Ｎ＋１とダミーの映像信号線ＤＭ２の間に配置された画素電極ＰＸに加える階調電圧Ｄ１,２，Ｄ２,２，・・・は、それぞれ、ダミーの階調電圧である。
【０１１５】
図１８（ａ）乃至図１８（ｃ）は、実施例５の液晶表示パネルの駆動方法の一例を示す模式図である。
図１８（ａ）は、実施例５の液晶表示パネルの駆動方法の一例を示す模式図である。図１８（ｂ）は、１フレーム期間における各画素電極の極性の一例を示す模式図である。図１８（ｃ）は、映像信号入力端子に加える階調電圧とその極性の一例を示す模式図である。
【０１１６】
実施例５の液晶表示パネルを駆動するときには、各走査信号線ＧＬｍ、各切替配線φ１，φ２，φ３、および各映像信号入力端子ＤＴｑに加える信号を、たとえば、図１８（ａ）に示すようなタイミングで切り替える。このとき、各切替配線φ１，φ２，φ３に加える切替信号は、１水平選択期間ＧＳＰを１周期とし、切替配線φ１，φ２，φ３の切替信号は、当該１周期の間にφ１，φ２，φ３の順にＨレベルになるようにする。
【０１１７】
このとき、１つの映像信号入力端子ＤＴ１と３本の映像信号線ＤＬ１，ＤＬ２，ＤＬ３とは、１周期（１水平選択期間）の間に、ＤＬ１，ＤＬ２，ＤＬ３の順に接続される。またこのとき、別の１つの映像信号入力端子ＤＴ２と３本の映像信号線ＤＬ４，ＤＬ５，ＤＬ６とは、１周期の間に、ＤＬ４，ＤＬ５，ＤＬ６の順に接続される。したがって、映像信号入力端子ＤＴ１，ＤＴ２には、それぞれ、図１８（ａ）に示したような順番で階調電圧を入力する。
【０１１８】
また、図示は省略するが、残りの映像信号入力端子ＤＴ３〜ＤＴＮのそれぞれにも、図１８（ａ）に示した映像信号入力端子ＤＴ１，ＤＴ２と同様の順番で階調電圧を入力する。
【０１１９】
またこのとき、映像信号入力端子ＤＴＮ＋１は、１周期（１水平選択期間）のうちの、切替配線φ１の切替信号がＨレベルになる選択期間だけ、映像信号線ＤＬ３Ｎ＋１に接続される。そのため、映像信号入力端子ＤＴＮ＋１には、たとえば、切替配線φ１の切替信号がＨレベルになる選択期間だけ、階調電圧を入力する。
【０１２０】
このとき、実施例５の液晶表示パネルをドット反転駆動させようとすると、それぞれの画素電極ＰＸの極性は、たとえば、図１８（ｂ）に示すようになる。したがって、図１８（ａ）に示したような駆動方法でドット反転駆動をさせる場合、それぞれの映像信号入力端子ＤＴｑに入力する階調電圧の極性は、たとえば、図１８（ｃ）に示したようになる。そのため、１つの映像信号入力端子ＤＴｑに加える階調電圧の極性の反転頻度を、図３（ｂ）に示した従来の駆動方法における反転頻度に比べて２／３（４／６）にすることができ、駆動回路３における消費電力を低減できる。したがって、実施例５の液晶表示パネルを有する液晶表示装置を、図１８（ａ）および図１８（ｃ）に示したような方法で駆動させた場合、高画質化と低消費電力化を両立することができる。
【０１２１】
図１９（ａ）および図１９（ｂ）は、実施例５の液晶表示パネルの駆動方法として望ましい方法の一例を示す模式図である。
図１９（ａ）は、実施例５の液晶表示パネルの駆動方法として望ましい方法の一例を示す模式図である。図１９（ｂ）は、映像信号入力端子に加える映像信号とその極性の一例を示す模式図である。
【０１２２】
実施例５の液晶表示パネルを駆動させるときには、各走査信号線ＧＬｍ、各切替配線φ１，φ２，φ３、および各映像信号入力端子ＤＴｑに加える信号を、たとえば、図１９（ａ）に示すようなタイミングで切り替えることが望ましい。このとき、各切替配線φ１，φ２，φ３に加える切替信号は、２水平選択期間を１周期とし、切替配線φ１，φ２，φ３の切替信号は、当該１周期の間にφ１，φ２，φ３，φ２，φ３，φ１の順にＨレベルになるようにする。
【０１２３】
このとき、１つの映像信号入力端子ＤＴ１と３本の映像信号線ＤＬ１，ＤＬ２，ＤＬ３とは、１周期（２水平選択期間）の間に、ＤＬ１，ＤＬ２，ＤＬ３，ＤＬ２，ＤＬ３，ＤＬ１の順に接続される。またこのとき、別の１つの映像信号入力端子ＤＴ２と３本の映像信号線ＤＬ４，ＤＬ５，ＤＬ６とは、１周期の間に、ＤＬ４，ＤＬ５，ＤＬ６，ＤＬ５，ＤＬ６，ＤＬ４の順に接続される。したがって、映像信号入力端子ＤＴ１，ＤＴ２には、それぞれ、図１９（ａ）に示したような順番で階調電圧を入力する。
【０１２４】
また、図示は省略するが、残りの映像信号入力端子ＤＴ３〜ＤＴＮのそれぞれにも、図１９（ａ）に示した映像信号入力端子ＤＴ２と同様の順番で階調電圧を入力する。
【０１２５】
またこのとき、映像信号入力端子ＤＴＮ＋１は、１周期（１水平選択期間）のうちの、切替配線φ１の切替信号がＨレベルになる選択期間だけ、映像信号線ＤＬ３Ｎ＋１に接続される。そのため、映像信号入力端子ＤＴＮ＋１には、たとえば、切替配線φ１の切替信号がＨレベルになる選択期間だけ、階調電圧を入力する。
【０１２６】
このとき、それぞれの映像信号入力端子に入力する階調電圧の極性を、たとえば、図１９（ｂ）に示したようにすると、実施例５の液晶表示パネルでドット反転駆動をさせることができる。すなわち、実施例５の液晶表示パネルを駆動させるときに、たとえば、図１９（ａ）および図１９（ｂ）に示したような方法で駆動させると、１つの映像信号入力端子に加える階調電圧の極性の反転頻度を、図３（ｂ）に示した駆動方法における反転頻度に比べて２／３（４／６）にすることができる。したがって、実施例５の液晶表示パネルを有する液晶表示装置は、図１９（ａ）および図１９（ｂ）に示したような方法で駆動させることで、高画質化と低消費電力化を両立することができる。
【０１２７】
図２０（ａ）および図２０（ｂ）は、実施例５の液晶表示パネルの駆動方法として望ましい方法の変形例を示す模式図である。
図２０（ａ）は、実施例５の液晶表示パネルの駆動方法として望ましい方法の変形例を示す模式図である。図２０（ｂ）は、映像信号入力端子に加える映像信号とその極性の一例を示す模式図である。
【０１２８】
実施例５の液晶表示パネルを駆動させるときには、各走査信号線ＧＬｍ、各切替配線φ１，φ２，φ３、および各映像信号入力端子ＤＴｑに加える信号を、たとえば、図２０（ａ）に示すようなタイミングで切り替えてもよい。このとき、各切替配線φ１，φ２，φ３に加える切替信号は、２水平選択期間を１周期とし、切替配線φ１，φ２，φ３の切替信号は、当該１周期の間にφ１，φ３，φ２，φ２，φ３，φ１の順にＨレベルになるようにする。
【０１２９】
このとき、１つの映像信号入力端子ＤＴ１と３本の映像信号線ＤＬ１，ＤＬ２，ＤＬ３とは、１周期（１水平選択期間）の間に、ＤＬ１，ＤＬ３，ＤＬ２，ＤＬ２，ＤＬ３，ＤＬ１の順に接続される。またこのとき、別の１つの映像信号入力端子ＤＴ２と３本の映像信号線ＤＬ４，ＤＬ５，ＤＬ６とは、１周期（１水平選択期間）の間に、ＤＬ４，ＤＬ６，ＤＬ５，ＤＬ５，ＤＬ６，ＤＬ４の順に接続される。したがって、映像信号入力端子ＤＴ１，ＤＴ２には、それぞれ、図２０（ａ）に示したような順番で階調電圧を入力する。
【０１３０】
また、図示は省略するが、残りの映像信号入力端子ＤＴ３〜ＤＴＮのそれぞれにも、図２０（ａ）に示した映像信号入力端子ＤＴ１，ＤＴ２と同様の順番で階調電圧を入力する。
【０１３１】
またこのとき、映像信号入力端子ＤＴＮ＋１は、１周期（１水平選択期間）のうちの、切替配線φ１の切替信号がＨレベルになる選択期間だけ、映像信号線ＤＬ３Ｎ＋１に接続される。そのため、映像信号入力端子ＤＴＮ＋１には、たとえば、切替配線φ１の切替信号がＨレベルになる選択期間だけ、階調電圧を入力する。
【０１３２】
このとき、それぞれの映像信号入力端子ＤＴｑに入力する階調電圧の極性を、たとえば、図２０（ｂ）に示したようにすると、実施例５の液晶表示パネルでドット反転駆動をさせることができる。このように、実施例５の液晶表示パネルを、図２０（ａ）および図２０（ｂ）に示したような方法で駆動させると、１つの映像信号入力端子ＤＴｑに加える階調電圧の極性の反転頻度を、図３（ｂ）に示した駆動方法における反転頻度に比べて１／３（２／６）にすることができる。したがって、図１９（ａ）および図１９（ｂ）に示したような方法で駆動させる場合に比べて、さらなる低消費電力化が期待できる。
【実施例６】
【０１３３】
図２１は、本発明による実施例６の液晶表示パネルの概略構成の一例を示す模式図である。
【０１３４】
実施例６の液晶表示パネルは、表示領域ＤＡの構成が実施例５と同様の千鳥配置と呼ばれる構成であり、スイッチ回路１０１の構成が実施例２と同様の構成である。
【０１３５】
このとき、スイッチ回路１０１は、映像信号線ＤＬ１〜ＤＬ３Ｎと映像信号入力端子ＤＴ１〜ＤＴＮの接続部分については、図９に示した構成と同じ構成である。また、映像信号線ＤＬ３Ｎ＋１は、ゲートが切替配線φ１に接続されたスイッチ素子により映像信号入力端子ＤＴＮ＋１に接続している。
【０１３６】
図２２（ａ）および図２２（ｂ）は、実施例６の液晶表示パネルの駆動方法の一例を示す模式図である。
図２２（ａ）は、実施例６の液晶表示パネルの駆動方法の一例を示す模式図である。図２２（ｂ）は、映像信号入力端子に加える階調電圧とその極性の一例を示す模式図である。
【０１３７】
実施例６の液晶表示パネルを駆動するときには、各走査信号線ＧＬｍ、各切替配線φ１，φ２，φ３、および各映像信号入力端子ＤＴｑに加える信号を、たとえば、図２２（ａ）に示すようなタイミングで切り替える。このとき、各切替配線φ１，φ２，φ３に加える切替信号は、１水平選択期間ＧＳＰを１周期とし、切替配線φ１，φ２，φ３の切替信号は、当該１周期の間にφ１，φ２，φ３の順にＨレベルになるようにする。
【０１３８】
このとき、１つの映像信号入力端子ＤＴ１と３本の映像信号線ＤＬ１，ＤＬ３，ＤＬ５とは、１周期（１水平選択期間）の間に、ＤＬ１，ＤＬ５，ＤＬ３の順に接続される。またこのとき、別の１つの映像信号入力端子ＤＴ２と３本の映像信号線ＤＬ２，ＤＬ４，ＤＬ６とは、１周期の間に、ＤＬ４，ＤＬ２，ＤＬ６の順に接続される。したがって、映像信号入力端子ＤＴ１，ＤＴ２には、それぞれ、図２２（ａ）に示したような順番で階調電圧を入力する。
【０１３９】
また、図示は省略するが、残りの映像信号入力端子ＤＴ３〜ＤＴＮのそれぞれにも、図２２（ａ）に示した映像信号入力端子ＤＴ１，ＤＴ２と同様の順番で階調電圧を入力する。
【０１４０】
またこのとき、映像信号入力端子ＤＴＮ＋１は、１周期（１水平選択期間）のうちの、切替配線φ１の切替信号がＨレベルになる選択期間だけ、映像信号線ＤＬ３Ｎ＋１に接続される。そのため、映像信号入力端子ＤＴＮ＋１には、たとえば、切替配線φ１の切替信号がＨレベルになる選択期間だけ、階調電圧を入力する。
【０１４１】
このとき、それぞれの映像信号入力端子ＤＴｑに入力する階調電圧の極性を、たとえば、図２２（ｂ）に示したようにすると、実施例６の液晶表示パネルでドット反転駆動をさせることができる。すなわち、実施例６の液晶表示パネルを駆動させるときに、たとえば、図２２（ａ）および図２２（ｂ）に示したような方法で駆動させると、１つの映像信号入力端子ＤＴｑに加える階調電圧の極性の反転頻度を、たとえば、１フレーム期間に１回の割合に減らすことができる。したがって、実施例６の液晶表示パネルを有する液晶表示装置は、高画質化と低消費電力化を両立することができる。
【０１４２】
図２３は、実施例６の液晶表示パネルの駆動方法の変形例を示す模式図である。
【０１４３】
実施例６の液晶表示パネルを駆動させるときには、各走査信号線、各切替配線、および各映像信号入力端子に加える信号を、たとえば、図２３に示すようなタイミングで切り替えてもよい。
【０１４４】
実施例６の液晶表示パネルを駆動させるときには、１フレーム期間中に１つの映像信号入力端子ＤＴｑに入力される階調電圧の極性がすべて同じ極性であるため、当該１つの映像信号入力端子ＤＴｑに入力する階調電圧の順番を変えても、極性の反転頻度は変わらない。したがって、実施例６の液晶表示パネルを有する液晶表示装置は、図２３に示したような駆動方法、すなわち、切替配線φ１，φ２，φ３に加える切替信号を、２水平選択期間を１周期にし、当該１周期の間にφ１，φ２，φ３，φ２，φ３，φ１の順にＨレベルになるようにしても、高画質化と低消費電力化を両立することができる。
【実施例７】
【０１４５】
図２４は、本発明による実施例７の液晶表示パネルの概略構成の一例を示す模式図である。
【０１４６】
実施例７の液晶表示パネルは、表示領域ＤＡの構成が実施例５と同様の千鳥配置と呼ばれる構成であり、スイッチ回路１０１の構成が実施例２と同様の構成である。
【０１４７】
なお、実施例７の液晶表示パネルでは、表示領域ＤＡの最も外側に配置される２本の映像信号線ＤＬ１，ＤＬ３Ｎ＋１が、表示領域ＤＡの外側を通る配線ＪＰによって接続されている。このとき、映像信号線ＤＬ３Ｎ＋１は、配線ＪＰ、映像信号線３１、スイッチ素子を介して映像信号入力端子ＤＴ１に接続している。そのため、映像信号入力端子ＤＴ１には、映像信号線ＤＬ１に接続された画素電極および映像信号線ＤＬ３Ｎ＋１に接続された画素電極に対する階調電圧が入力される。
【０１４８】
図２５（ａ）および図２５（ｂ）は、実施例７の液晶表示パネルの駆動方法の一例を示す模式図である。
図２５（ａ）は、実施例７の液晶表示パネルの駆動方法として望ましい方法の一例を示す模式図である。図２５（ｂ）は、映像信号入力端子に加える映像信号とその極性の一例を示す模式図である。
【０１４９】
実施例７の液晶表示パネルを駆動するときには、各走査信号線ＧＬｍ、各切替配線φ１，φ２，φ３、および各映像信号入力端子ＤＴｑに加える信号を、たとえば、図２５（ａ）に示すようなタイミングで切り替える。このとき、各切替配線φ１，φ２，φ３に加える切替信号は、２水平選択期間を１周期とし、切替配線φ１，φ２，φ３の切替信号は、当該１周期の間にφ１，φ２，φ３，φ２，φ３，φ１の順にＨレベルになるようにする。
【０１５０】
このとき、１つの映像信号入力端子ＤＴ１と３本の映像信号線ＤＬ１，ＤＬ３，ＤＬ５とは、１周期（１水平選択期間）の間に、ＤＬ１，ＤＬ５，ＤＬ３，ＤＬ５，ＤＬ３，ＤＬ１の順に接続される。またこのとき、ｍが奇数の走査信号線ＧＬｍに加わる走査信号がＨレベルである水平選択期間に映像信号線ＤＬ１に加えられた階調電圧は、映像信号線ＤＬ１と映像信号線ＤＬ２の間にある画素電極と、映像信号線ＤＬ３Ｎ＋１とダミーの映像信号線ＤＭ２の間にある画素電極に与えられる。同様に、ｍが偶数の走査信号線ＧＬｍに加わる走査信号がＨレベルである水平選択期間に映像信号線ＤＬ１に加えられた階調電圧は、ダミーの映像信号線ＤＭ１と映像信号線ＤＬ１の間にある画素電極と、映像信号線ＤＬ３Ｎと映像信号線ＤＬ３Ｎ＋１の間にある画素電極に与えられる。
【０１５１】
ダミーの映像信号線と映像信号線の間にある画素電極は、映像や画像の表示に寄与しないダミーの画素の画素電極である。そのため、ダミーの映像信号線と映像信号線の間にある画素電極には、任意の電位の階調電圧を加えることができる。
【０１５２】
またこのとき、別の１つの映像信号入力端子ＤＴ２と３本の映像信号線ＤＬ２，ＤＬ４，ＤＬ６とは、１周期（１水平選択期間）の間に、ＤＬ４，ＤＬ２，ＤＬ６，ＤＬ２，ＤＬ６，ＤＬ４の順に接続される。
【０１５３】
したがって、映像信号入力端子ＤＴ１，ＤＴ２には、それぞれ、図２５（ａ）に示したような順番で階調電圧を入力する。
【０１５４】
また、図示は省略するが、残りの映像信号入力端子ＤＴ３〜ＤＴＮのそれぞれにも、図２５（ａ）に示した映像信号入力端子ＤＴ１，ＤＴ２と同様の順番で階調電圧を入力する。
【０１５５】
このとき、それぞれの映像信号入力端子ＤＴｑに入力する階調電圧の極性を、たとえば、図２５（ｂ）に示したようにすると、実施例７の液晶表示パネルでドット反転駆動をさせることができる。すなわち、実施例７の液晶表示パネルを駆動させるときに、たとえば、図２５（ａ）および図２５（ｂ）に示したような方法で駆動させると、１つの映像信号入力端子ＤＴｑに加える階調電圧の極性の反転頻度を、たとえば、１フレーム期間に１回の割合に減らすことができる。したがって、実施例７の液晶表示パネルを有する液晶表示装置は、高画質化と低消費電力化を両立することができる。
【０１５６】
また、実施例７の液晶表示パネルは、実施例５および実施例６の液晶表示パネルに比べて、映像信号入力端子の数を１つ減らすことができる。
【実施例８】
【０１５７】
図２６（ａ）および図２６（ｂ）は、液晶表示パネルの画素の配置方法を示す模式図である。
図２６（ａ）は、液晶表示パネルの画素の配置方法の一例を示す模式図である。図２６（ｂ）は、液晶表示パネルの画素の配置方法の別の一例を示す模式図である。
【０１５８】
液晶表示パネルの表示領域は、マトリクス状に配置された複数の画素の集合で設定される。このとき、一般的な液晶表示パネルにおける画素の配置は、たとえば、図２６（ａ）に示すような配置であり、映像信号線の延在方向（ｙ方向）で隣接する２つの画素は、走査信号線の延在方向（ｘ方向）の位置がそろっている。なお、図２６（ａ）において、２０１は、格子状の遮光膜（ブラックマトリクス）であり、遮光膜２０１で分割された矩形領域の１つ１つが、画素の開口領域に相当する。また、それぞれの矩形領域に記したＲｍ,ｑ，Ｇｍ,ｑ，Ｂｍ,ｑは、それぞれの画素が有する画素電極に加えられる階調電圧を示している。
【０１５９】
このような配置は、たとえば、液晶テレビやＰＣ用の液晶ディスプレイなどに適用されている。
【０１６０】
また、デジタルスチルカメラの液晶ディスプレイなどに用いられる液晶表示パネルには、たとえば、図２６（ｂ）に示すように、ｙ方向で隣接する２つの画素はｘ方向の位置がずれており、１つの画素を挟んで隣接する２つの画素はｘ方向の位置がそろっている配置（一般に、デルタ配置と呼ばれる。）になっているものもある。またこのとき、それぞれの画素の画素電極に与えられる階調電圧は、たとえば、図２６（ｂ）に示すようになっている。そして、本発明は、図２６（ａ）に示したような配置の液晶表示パネルに限らず、図２６（ｂ）に示したようなデルタ配置の液晶表示パネルにも適用できる。
【０１６１】
図２７は、本発明による実施例８の液晶表示パネルの概略構成の一例を示す模式図である。
【０１６２】
実施例８の液晶表示パネルは、表示領域ＤＡの基本的な構成およびスイッチ回路１０１の構成が、実施例２の液晶表示パネルと同じ構成になっている。ただし、実施例８の液晶表示パネルは、画素の配置がデルタ配置になっているため、図２７に示すように、隣接する２本の映像信号線ＤＬの間に配置された画素電極ＰＸについてみると、映像信号線ＤＬの延在方向で隣接する２つの画素電極ＰＸはｘ方向の位置がずれており、１つの画素電極ＰＸを挟んで隣接する２つの画素電極ＰＸはｘ方向の位置がそろっている。
【０１６３】
図２８（ａ）乃至図２８（ｃ）は、実施例８の液晶表示パネルの駆動方法の一例を示す模式図である。
図２８（ａ）は、実施例８の液晶表示パネルの駆動方法の一例を示す模式図である。図２８（ｂ）は、映像信号入力端子に加える映像信号とその極性の一例を示す模式図である。図２８（ｃ）は、１フレーム期間における各画素電極の極性の一例を示す模式図である。
【０１６４】
実施例８の液晶表示パネルを駆動するときには、各走査信号線ＧＬｍ、各切替配線φ１，φ２，φ３、および各映像信号入力端子ＤＴｑに加える信号を、たとえば、図２８（ａ）に示すようなタイミングで切り替える。このとき、各切替配線φ１，φ２，φ３に加える切替信号は、２水平選択期間を１周期とし、当該１周期の間に、φ１，φ２，φ３，φ３，φ１，φ２の順にＨレベルになるようにする。
【０１６５】
このとき、１つの映像信号入力端子ＤＴ１と３本の映像信号線ＤＬ１，ＤＬ３，ＤＬ５とは、１周期（２水平選択期間）の間に、ＤＬ１，ＤＬ５，ＤＬ３，ＤＬ３，ＤＬ１，ＤＬ５の順に接続される。またこのとき、別の１つの映像信号入力端子ＤＴ２と３本の映像信号線ＤＬ２，ＤＬ４，ＤＬ６とは、１周期（２水平選択期間）の間に、ＤＬ４，ＤＬ２，ＤＬ６，ＤＬ６，ＤＬ４，ＤＬ２の順に接続される。したがって、映像信号入力端子ＤＴ１，ＤＴ２には、それぞれ、図２８（ａ）に示したような順番で階調電圧を入力する。
【０１６６】
また、図示は省略するが、残りの映像信号入力端子ＤＴ３〜ＤＴＮのそれぞれにも、図２８（ａ）に示したような順番で階調電圧を入力する。
【０１６７】
このとき、それぞれの映像信号入力端子ＤＴｑに入力する階調電圧の極性を、たとえば、図２８（ｂ）のようにすると、１フレーム期間における各画素電極ＰＸの極性は、図２８（ｃ）に示したようになる。このとき、１フレーム期間における各画素電極ＰＸの極性は、列毎反転駆動と同様の極性になるが、駆動回路３において階調電圧を生成する際にも、列毎反転駆動の場合と同様の方法で生成される。そのため、１つの映像信号入力端子ＤＴｑに加える階調電圧の極性の反転頻度を、１フレーム期間に１回の割合に減らすことができ、駆動回路３における消費電力を低減できる。したがって、実施例８の液晶表示パネルを有する液晶表示装置は、図２８（ａ）および図２８（ｂ）に示したような方法で駆動させることで、高画質化と低消費電力化を両立することができる。
【０１６８】
図２９（ａ）および図２９（ｂ）は、実施例８の液晶表示パネルの駆動方法の変形例を示す模式図である。
図２９（ａ）は、実施例８の液晶表示パネルの駆動方法の変形例を示す模式図である。図２９（ｂ）は、１フレーム期間における各画素電極の極性の一例を示す模式図である。
【０１６９】
実施例８の液晶表示パネルを、図２８（ａ）に示したような方法で駆動させる場合、各映像信号入力端子ＤＴｑに入力する階調電圧の極性は、たとえば、図２９（ａ）に示すようにしてもよい。この場合、１水平選択期間ＧＳＰ毎に階調電圧の極性が反転し、１フレーム期間における各画素電極ＰＸの極性は、図２９（ｂ）に示したようなドット反転駆動と同様の極性になる。
【０１７０】
駆動回路３において、図２９（ａ）に示したような極性の階調電圧を生成する場合、図２８（ｂ）に示したような極性の階調電圧を生成する場合に比べて、極性の反転頻度が増える。そのため、駆動回路３における消費電力は増加する。しかしながら、従来のドット反転駆動の場合に比べると、極性の反転頻度は１／３（２／６）に減り、駆動回路３における消費電力を低減することができる。したがって、実施例８の液晶表示パネルを有する液晶表示装置は、図２８（ａ）および図２９（ａ）に示したような駆動方法であっても、高画質化と低消費電力化を両立することができる。
【０１７１】
なお、実施例８では、スイッチ回路１０１が、実施例２に示した例と同じ場合を挙げているが、これに限らず、たとえば、実施例３または実施例４で挙げたような構成であってもよいことはもちろんである。実施例８の液晶表示パネルにおけるスイッチ回路１０１の構成を、実施例３または実施例４で挙げた構成に置き換える場合、それぞれ、実施例３または実施例４で説明したような方法で駆動させることで、高画質化と低消費電力化を両立することができる。
【実施例９】
【０１７２】
図３０は、本発明による実施例９の液晶表示パネルの概略構成の一例を示す模式図である。
【０１７３】
実施例９の液晶表示パネルは、表示領域ＤＡの基本的な構成およびスイッチ回路１０１の構成が、実施例６の液晶表示パネルと同じ構成になっている。ただし、実施例９の液晶表示パネルは、画素の配置がデルタ配置になっており、図３０に示すように、隣接する２本の映像信号線ＤＬの間に配置された画素電極ＰＸについてみると、映像信号線ＤＬの延在方向で隣接する２つの画素電極ＰＸはｘ方向の位置がずれており、１つの画素電極ＰＸを挟んで隣接する２つの画素電極ＰＸはｘ方向の位置がそろっている。
【０１７４】
図３１（ａ）乃至図３１（ｃ）は、実施例９の液晶表示パネルの駆動方法の一例を示す模式図である。
図３１（ａ）は、実施例９の液晶表示パネルの駆動方法の一例を示す模式図である。図３１（ｂ）は、映像信号入力端子に加える映像信号とその極性の一例を示す模式図である。図３１（ｃ）は、１フレーム期間における各画素電極の極性の一例を示す模式図である。
【０１７５】
実施例９の液晶表示パネルを駆動するときには、各走査信号線ＧＬｍ、各切替配線φ１，φ２，φ３、および各映像信号入力端子ＤＴｑに加える信号を、たとえば、図３１（ａ）に示すようなタイミングで切り替える。このとき、各切替配線φ１，φ２，φ３に加える切替信号は、１水平選択期間を１周期とし、当該１周期の間に、φ１，φ２，φ３の順にＨレベルになるようにする。
【０１７６】
このとき、１つの映像信号入力端子ＤＴ１と３本の映像信号線ＤＬ１，ＤＬ３，ＤＬ５とは、１周期（１水平選択期間）の間に、ＤＬ１，ＤＬ５，ＤＬ３の順に接続される。またこのとき、別の１つの映像信号入力端子ＤＴ２と３本の映像信号線ＤＬ２，ＤＬ４，ＤＬ６とは、１周期（１水平選択期間）の間に、ＤＬ４，ＤＬ２，ＤＬ６の順に接続される。したがって、映像信号入力端子ＤＴ１，ＤＴ２には、それぞれ、図３１（ａ）に示したような順番で階調電圧を入力する。
【０１７７】
また、図示は省略するが、残りの映像信号入力端子ＤＴ３〜ＤＴＮのそれぞれにも、図３１（ａ）に示したような順番で階調電圧を入力する。
【０１７８】
このとき、それぞれの映像信号入力端子ＤＴｑに入力する階調電圧の極性を、たとえば、図３１（ｂ）のようにすると、１フレーム期間における各画素電極ＰＸの極性は、図３１（ｃ）に示したように、ドット反転駆動と同様の極性になる。またこのとき、駆動回路３において階調電圧を生成する際には、列毎反転駆動の場合と同様の方法で生成される。そのため、１つの映像信号入力端子ＤＴｑに加える階調電圧の極性の反転頻度を、１フレーム期間に１回の割合に減らすことができ、駆動回路３における消費電力を低減できる。したがって、実施例９の液晶表示パネルを有する液晶表示装置は、図３１（ａ）および図３１（ｂ）に示したような方法で駆動させることで、高画質化と低消費電力化を両立することができる。
【０１７９】
また、実施例９の液晶表示パネルは、たとえば、実施例７の液晶表示パネルのように、表示領域ＤＡの最も外側に配置された２本の映像信号線ＤＬ１，ＤＬ３Ｎ＋１を、表示領域ＤＡの外側を通る配線ＪＰで電気的に接続してもよい。
【０１８０】
以上、本発明を、前記実施例に基づき具体的に説明したが、本発明は、前記実施例に限定されるものではなく、その要旨を逸脱しない範囲において、種々変更可能であることはもちろんである。
【０１８１】
たとえば、前記実施例１乃至実施例９では、液晶表示パネルに本発明を適用した場合を例に挙げて説明したが、本発明は、これに限らず、液晶表示パネルと同様の構成であり、かつ、同様の駆動方法で駆動させる表示パネルであれば適用できることはもちろんである。
【０１８２】
また、前記実施例１乃至実施例９では、映像または画像の１ドットの色を、３つの画素で表現する液晶表示パネルを例に挙げたが、本発明は、これに限らず、１ドットの色を４つまたはそれ以上の画素で表現する液晶表示パネルにも適用できることはもちろんである。
【図面の簡単な説明】
【０１８３】
【図１（ａ）】本発明に関わる液晶表示装置の平面構成の一例を示す模式平面図である。
【図１（ｂ）】表示領域の１つの画素の回路構成の一例を示す模式回路図である。
【図１（ｃ）】１つの画素の回路構成の別の表現方法の一例を示す模式回路図である。
【図２（ａ）】従来の液晶表示パネルの概略構成の一例を示す模式回路図である。
【図２（ｂ）】図２（ａ）に示した液晶表示パネルの駆動方法の一例を示す模式図である。
【図３（ａ）】ドット反転駆動と呼ばれる駆動方法の原理を示す模式図である。
【図３（ｂ）】ドット反転駆動をするときの階調電圧の入力方法を示す模式図である。
【図４（ａ）】参考例１の液晶表示パネルの駆動方法の一例を示す模式図である。
【図４（ｂ）】映像信号入力端子に加える階調電圧とその極性の一例を示す模式図である。
【図５】参考例２の液晶表示パネルの概略構成の一例を示す模式図である。
【図６】参考例２の液晶表示パネルの駆動方法の一例を示す模式図である。
【図７】本発明による実施例１の液晶表示パネルの概略構成を示す模式図である。
【図８（ａ）】実施例１の液晶表示パネルの駆動方法の一例を示す模式図である。
【図８（ｂ）】映像信号入力端子に加える映像信号とその極性の一例を示す模式図である。
【図９】本発明による実施例２の液晶表示パネルの概略構成の一例を示す模式図である。
【図１０（ａ）】実施例２の液晶表示パネルの駆動方法の一例を示す模式図である。
【図１０（ｂ）】映像信号入力端子に加える階調電圧とその極性の一例を示す模式図である。
【図１１】実施例２の液晶表示パネルの変形例の一例を示す模式図である。
【図１２】本発明による実施例３の液晶表示パネルの概略構成の一例を示す模式図である。
【図１３（ａ）】実施例３の液晶表示パネルの駆動方法の一例を示す模式図である。
【図１３（ｂ）】映像信号入力端子に加える階調電圧とその極性の一例を示す模式図である。
【図１４】本発明による実施例４の液晶表示パネルの概略構成の一例を示す模式図である。
【図１５】実施例４の液晶表示パネルの駆動方法の一例を示す模式図である。
【図１６】実施例４の液晶表示パネルの変形例の一例を示す模式図である。
【図１７】本発明による実施例５の液晶表示パネルの概略構成の一例を示す模式図である。
【図１８（ａ）】実施例５の液晶表示パネルの駆動方法の一例を示す模式図である。
【図１８（ｂ）】１フレーム期間における各画素電極の極性の一例を示す模式図である。
【図１８（ｃ）】映像信号入力端子に加える階調電圧とその極性の一例を示す模式図である。
【図１９（ａ）】実施例５の液晶表示パネルの駆動方法として望ましい方法の一例を示す模式図である。
【図１９（ｂ）】映像信号入力端子に加える階調電圧とその極性の一例を示す模式図である。
【図２０（ａ）】実施例５の液晶表示パネルの駆動方法として望ましい方法の変形例を示す模式図である。
【図２０（ｂ）】映像信号入力端子に加える階調電圧とその極性の一例を示す模式図である。
【図２１】本発明による実施例６の液晶表示パネルの概略構成の一例を示す模式図である。
【図２２（ａ）】実施例６の液晶表示パネルの駆動方法の一例を示す模式図である。
【図２２（ｂ）】映像信号入力端子に加える階調電圧とその極性の一例を示す模式図である。
【図２３】実施例６の液晶表示パネルの駆動方法の変形例を示す模式図である。
【図２４】本発明による実施例７の液晶表示パネルの概略構成の一例を示す模式図である。
【図２５（ａ）】実施例７の液晶表示パネルの駆動方法として望ましい方法の一例を示す模式図である。
【図２５（ｂ）】映像信号入力端子に加える映像信号とその極性の一例を示す模式図である。
【図２６（ａ）】液晶表示パネルの画素の配置方法の一例を示す模式図である。
【図２６（ｂ）】液晶表示パネルの画素の配置方法の別の一例を示す模式図である。
【図２７】本発明による実施例８の液晶表示パネルの概略構成の一例を示す模式図である。
【図２８（ａ）】実施例８の液晶表示パネルの駆動方法の一例を示す模式図である。
【図２８（ｂ）】映像信号入力端子に加える映像信号とその極性の一例を示す模式図である。
【図２８（ｃ）】１フレーム期間における各画素電極の極性の一例を示す模式図である。
【図２９（ａ）】実施例８の液晶表示パネルの駆動方法の変形例を示す模式図である。
【図２９（ｂ）】１フレーム期間における各画素電極の極性の一例を示す模式図である。
【図３０】本発明による実施例９の液晶表示パネルの概略構成の一例を示す模式図である。
【図３１（ａ）】実施例９の液晶表示パネルの駆動方法の一例を示す模式図である。
【図３１（ｂ）】映像信号入力端子に加える映像信号とその極性の一例を示す模式図である。
【図３１（ｃ）】１フレーム期間における各画素電極の極性の一例を示す模式図である。
【符号の説明】
【０１８４】
１…ＴＦＴ基板
２…対向基板
３…駆動回路
ＧＬ，ＧＬ１，ＧＬ２，ＧＬ３，ＧＬ４，ＧＬｍ，ＧＬｍ＋１…走査信号線
ＤＬ，ＤＬ１，ＤＬ２，ＤＬ３，ＤＬ４，ＤＬ５，ＤＬ６，ＤＬ７，ＤＬ３Ｎ−２，ＤＬ３Ｎ−１，ＤＬ３Ｎ，ＤＬ３Ｎ＋１…映像信号線
ＤＴ１，ＤＴ２，ＤＴＮ，ＤＴＮ＋１…映像信号入力端子
ＣＢ…コモン給電配線
Ｔｒ１…ＴＦＴ素子
ＰＸ…画素電極
Ｔｒ２…スイッチ素子
φ１，φ２，φ３，φ４，φ５，φ６…切替配線
【図１（ａ）】
2010032974.tif 000003
【図１（ｂ）】
2010032974.tif 000004
【図１（ｃ）】
2010032974.tif 000005
【図２（ａ）】
2010032974.tif 000006
【図２（ｂ）】
2010032974.tif 000007
【図３（ａ）】
2010032974.tif 000008
【図３（ｂ）】
2010032974.tif 000009
【図４（ａ）】
2010032974.tif 000010
【図４（ｂ）】
2010032974.tif 000011
【図５】
2010032974.tif 000012
【図６】
2010032974.tif 000013
【図７】
2010032974.tif 000014
【図８（ａ）】
2010032974.tif 000015
【図８（ｂ）】
2010032974.tif 000016
【図９】
2010032974.tif 000017
【図１０（ａ）】
2010032974.tif 000018
【図１０（ｂ）】
2010032974.tif 000019
【図１１】
2010032974.tif 000020
【図１２】
2010032974.tif 000021
【図１３（ａ）】
2010032974.tif 000022
【図１３（ｂ）】
2010032974.tif 000023
【図１４】
2010032974.tif 000024
【図１５】
2010032974.tif 000025
【図１６】
2010032974.tif 000026
【図１７】
2010032974.tif 000027
【図１８（ａ）】
2010032974.tif 000028
【図１８（ｂ）】
2010032974.tif 000029
【図１８（ｃ）】
2010032974.tif 000030
【図１９（ａ）】
2010032974.tif 000031
【図１９（ｂ）】
2010032974.tif 000032
【図２０（ａ）】
2010032974.tif 000033
【図２０（ｂ）】
2010032974.tif 000034
【図２１】
2010032974.tif 000035
【図２２（ａ）】
2010032974.tif 000036
【図２２（ｂ）】
2010032974.tif 000037
【図２３】
2010032974.tif 000038
【図２４】
2010032974.tif 000039
【図２５（ａ）】
2010032974.tif 000040
【図２５（ｂ）】
2010032974.tif 000041
【図２６（ａ）】
2010032974.tif 000042
【図２６（ｂ）】
2010032974.tif 000043
【図２７】
2010032974.tif 000044
【図２８（ａ）】
2010032974.tif 000045
【図２８（ｂ）】
2010032974.tif 000046
【図２８（ｃ）】
2010032974.tif 000047
【図２９（ａ）】
2010032974.tif 000048
【図２９（ｂ）】
2010032974.tif 000049
【図３０】
2010032974.tif 000050
【図３１（ａ）】
2010032974.tif 000051
【図３１（ｂ）】
2010032974.tif 000052
【図３１（ｃ）】
2010032974.tif 000053